(57)【要約】      （修正有）【課題】カチオン性ポリマーと、シリコーンと、界面活性剤系とを含む、良好な白さの維持と良好な柔軟性の両方の効果をもたらす布地ケア組成物の提供。【解決手段】カチオン性ポリマーと、シリコーンと、界面活性剤系と、を含む洗濯洗剤組成物であって、前記カチオン性ポリマーは、（ｉ）５モル％〜４５モル％の（メタ）アクリルアミドに由来する第１の構造単位と、（ｉｉ）５５モル％〜９５モル％のジアリルジメチルアンモニウム塩（ＤＡＤＭＡＳ）に由来する第２の構造単位と、を含み、前記カチオン性ポリマーは、分子量が５ｋダルトン〜２００ｋダルトン、好ましくは１５ｋダルトン〜１００、より好ましくは２０ｋダルトン〜５０ｋダルトンであることを特徴とし、前記界面活性剤系は、アニオン性界面活性剤と、非イオン性界面活性剤と、を、１．１：１〜４：１、好ましくは１．５：１〜２．５：１の重量比で含む、洗濯洗剤組成物。【選択図】なし【特許請求の範囲】
【請求項１】
カチオン性ポリマーと、シリコーンと、界面活性剤系と、を含む洗濯洗剤組成物であって、
前記カチオン性ポリマーは、
（ｉ）５モル％〜４５モル％の（メタ）アクリルアミドに由来する第１の構造単位と、
（ｉｉ）５５モル％〜９５モル％のジアリルジメチルアンモニウム塩（ＤＡＤＭＡＳ）に由来する第２の構造単位と、を含み、
前記カチオン性ポリマーは、分子量が５ｋダルトン〜２００ｋダルトン、好ましくは１５ｋダルトン〜１００、より好ましくは２０ｋダルトン〜５０ｋダルトンであることを特徴とし、
前記界面活性剤系は、アニオン性界面活性剤と、非イオン性界面活性剤と、を、１．１：１〜４：１、好ましくは１．５：１〜２．５：１の重量比で含む、洗濯洗剤組成物。
【請求項２】
（ｉ）及び（ｉｉ）を合計すると１００モル％になる、請求項１に記載の洗剤組成物。
【請求項３】
前記カチオン性ポリマーが、１５モル％〜３０モル％の前記第１の構造単位を含む、請求項１又は２に記載の洗剤組成物。
【請求項４】
前記カチオン性ポリマーが、７０モル％〜８５モル％の前記第２の構造単位を含む、請求項１〜３のいずれか一項に記載の洗剤組成物。
【請求項５】
前記第２の構造単位が、ジアリルジメチルアンモニウムクロリド（ＤＡＤＭＡＣ）由来である、請求項１〜４のいずれか一項に記載の洗剤組成物。
【請求項６】
前記カチオン性ポリマーが、０．０１モル％〜１５モル％のアクリル酸に由来する第３の構造単位を含む、請求項１〜５のいずれか一項に記載の洗剤組成物。
【請求項７】
前記カチオン性ポリマーが、シリコーン由来構造単位を実質的に含まない、請求項１〜６のいずれか一項に記載の洗剤組成物。
【請求項８】
前記シリコーンが、アミノシリコーンである、請求項１〜７のいずれか一項に記載の洗剤組成物。
【請求項９】
前記シリコーンが、ナノエマルションとして存在し、前記ナノエマルションは、平均粒径が１０ｎｍ〜５００ｎｍであることを特徴とする、請求項１〜８のいずれか一項に記載の洗剤組成物。
【請求項１０】
前記アニオン性界面活性剤が、直鎖アルキルベンゼンサルフェート（ＬＡＳ）及びアルキルエーテルサルフェート（ＡＥＳ）を、好ましくは０．５：１〜１．５：１の重量比で含む、請求項１〜９のいずれか一項に記載の洗剤組成物。
【請求項１１】
前記洗剤組成物は、前記組成物の重量に対して、０．１％〜４％の脂肪酸及び／又はその塩を更に含む、請求項１〜１０のいずれか一項に記載の洗剤組成物。
【請求項１２】
前記洗剤組成物は、非高分子系結晶質ヒドロキシ官能性構造化剤、高分子構造化剤又はこれらの混合物を含む外部構造化系、マイクロカプセル、好ましくは香料マイクロカプセル、酵素、防汚ポリマー、色調剤及びこれらの組み合わせから選択される補助剤を更に含む、請求項１〜１１のいずれか一項に記載の洗剤組成物。
【請求項１３】
前記洗剤組成物は、液体である、請求項１〜１２のいずれか一項に記載の洗剤組成物。
【請求項１４】
前記洗剤組成物は、パウチに封入され、前記パウチは、水溶性フィルムを含む、請求項１〜１３のいずれか一項に記載の洗剤組成物。
【請求項１５】
布地を処理する方法であって、前記布地を請求項１〜１４のいずれか一項に記載の洗剤組成物に接触させる工程を含む、方法。
【発明の詳細な説明】
【技術分野】
【０００１】
本開示は、カチオン性ポリマーと、シリコーンと、界面活性剤系と、を含む布地ケア組成物に関する。本開示は、更に、当該組成物の製造方法及び使用方法に関する。
【背景技術】
【０００２】
消費者は、衣服を洗濯するとき、布地が美しい外観と柔らかな感触に仕上がるように望むことが多い。従来の洗剤は、望ましい染み除去及び白さの効果をもたらすことが多いが、洗濯した布地は、通常、消費者が喜ぶ「柔らかな感触」という効果に欠く。布地柔軟剤は、すすぎサイクル中に柔らかな感触をもたらすことが知られているが、布地柔軟剤の活性物質は、時間の経過とともに布地上に堆積し、経時的には白さを打ち消す効果が生じ得る。更に、洗剤と布地柔軟剤は、２つの異なる製品として販売される傾向があり、それらの保管、輸送及び使用に不便である。したがって、洗浄と柔軟性の両方の効果をもたらす単一の製品を処方するのは有益であり得る。
【０００３】
しかしながら、洗浄と柔軟性の両方の効果をもたらす組成物を処方することは、製造者にとって難しい課題である。感触有益剤は、衣服上に付着するよりも、洗剤中に存在する界面活性剤によって洗い流される傾向があるため、感触有益剤が十分に使用されることはなく、シリコーンなどの柔軟性有益剤を従来の洗剤に単に加えるだけでは不十分なことが多い。更に、高濃度の感触有益剤は、最終製品に安定性の問題をもたらすことがあるので、感触効果を付与するのに十分なシリコーンを付着させるために、柔軟性感触有益剤の濃度を上げることは、必ずしもこの問題を解決することにはならない。
【０００４】
カチオン性沈着ポリマーを用いると、シリコーンの布地上への付着効率及びそれによる柔軟性効果を増加させることができる。しかしながら、一般に分子量の大きい従来の沈着ポリマーを含む従来のシリコーン含有洗剤では、カチオン性沈着ポリマーを含まない従来の洗剤と同様に、洗浄されないこと又は白さの効果が維持されないことが見出されている。理論に束縛されるものではないが、従来のカチオン性沈着ポリマーは、シリコーンだけでなく、洗濯液からの汚れも布地上に付着させるため、布地のくすみ及び／又は染み除去効果の低下をもたらすものと考えられる。例えば、従来のカチオン性ポリマーは、洗剤中のアニオン性界面活性剤と相互作用するため、粘土を凝集することができ、粘土の再付着をもたらす。
【発明の概要】
【発明が解決しようとする課題】
【０００５】
したがって、良好な白さの維持と良好な柔軟性の両方の効果をもたらす単一の製品が求められている。驚くべきことに、特定の低分子量のカチオン性沈着ポリマーと界面活性剤系との特定の組み合わせを選択することで、こうした効果をもたらすシリコーン含有組成物を処方することが可能であることが見出された。
【課題を解決するための手段】
【０００６】
本開示は、カチオン性ポリマーと、シリコーンと、界面活性剤系と、を含む洗濯組成物に関する。
【０００７】
より詳細には、本開示は、カチオン性ポリマーと、シリコーンと、界面活性剤系と、を含む洗濯洗剤組成物であって、前記カチオン性ポリマーは、（ｉ）約５モル％〜約４５モル％の（メタ）アクリルアミドに由来する第１の構造単位と、（ｉｉ）約５５モル％〜約９５モル％のジアリルジメチルアンモニウム塩（ＤＡＤＭＡＳ）に由来する第２の構造単位と、を含み、カチオン性ポリマーは、分子量が約５ｋダルトン〜約２００ｋダルトンであることを特徴とし、界面活性剤系は、アニオン性界面活性剤と、非イオン性界面活性剤とを、約１．１：１〜約４：１の比で含む、洗濯洗剤組成物に関する。
【０００８】
本開示はまた、本明細書に記載の組成物で布地を処理する方法に関する。
【発明を実施するための形態】
【０００９】
本開示は、カチオン性ポリマーと、シリコーンと、界面活性剤系と、を含む布地処理組成物に関する。本開示の布地ケア組成物は、洗浄及び／又は白さの効果と、感触及び／又はシリコーン付着の効果の両方をもたらす単独製品であり得る。シリコーン含有組成物に使用するために、特定の低分子量のカチオン性沈着ポリマーと、特定の界面活性剤系とを選択することによって、これらの効果がもたらされる。これらの要素のそれぞれについて、以下でより詳細に記載する。
【００１０】
定義
本明細書で使用するとき、用語「分子量」は、ポリマー組成物中のポリマー鎖の重量平均分子量を指す。更に、本明細書で使用するとき、「重量平均分子量」（「Ｍｗ」）は、以下の等式を使用して計算される：
Ｍｗ＝（Σｉ  Ｎｉ  Ｍｉ２）／（Σｉ  Ｎｉ  Ｍｉ）
（式中、Ｎｉは、分子量Ｍｉを有する分子の数である）。重量平均分子量は、試験方法の項に記載の方法によって測定されるものとする。
【００１１】
本明細書で使用するとき、「モル％」は、ポリマー中の特定のモノマー構造単位の相対モル百分率を指す。本開示の意味の範囲において、カチオン性ポリマー中に存在する全てのモノマー構造単位の相対モル百分率を合算すると１００モル％になることが理解される。
【００１２】
本明細書で使用するとき、用語「由来する」は、化合物又は当該化合物の任意の誘導体（すなわち、１つ又は２つ以上の置換基を有するもの）から調製することができるポリマー中のモノマー構造単位を指す。好ましくは、かかる構造単位は、対象の化合物から直接調製される。例えば、用語「（メタ）アクリルアミドに由来する構造単位」は、（メタ）アクリルアミド又は１つ又は２つ以上の置換基を有する（メタ）アクリルアミドの任意の誘導体から調製することができるポリマー中のモノマー構造単位を指す。好ましくは、かかる構造単位は、（メタ）アクリルアミドから直接調製される。本明細書で使用するとき、用語「（メタ）アクリルアミド」は、アクリルアミド（「Ａａｍ」）又はメタクリルアミドのいずれかを指し、（メタ）アクリルアミドは、本明細書中、「（Ｍ）ＡＡｍ」と略される。別の例として、用語「ジアリルジメチルアンモニウム塩に由来する構造単位」は、ジアリルジメチルアンモニウム塩（ＤＡＤＭＡＳ）又は１つ又は２つ以上の置換基を有するＤＡＤＭＡＳの任意の誘導体から直接調製することができるポリマー中のモノマー構造単位を指す。好ましくは、かかる構造単位は、かかるジアリルジメチルアンモニウム塩から直接調製される。更に別の例として、用語「アクリル酸に由来する構造単位」は、アクリル酸（ＡＡ）又は１つ又は２つ以上の置換基を有するＡＡの任意の誘導体から調製することができるポリマー中のモノマー構造単位を指す。好ましくは、かかる構造単位は、アクリル酸から直接調製される。
【００１３】
本明細書で使用するとき、用語「アンモニウム塩」又は「アンモニウム塩類」は、塩化アンモニウム、フッ化アンモニウム、臭化アンモニウム、ヨウ化アンモニウム、重硫酸アンモニウム、アルキル硫酸アンモニウム、リン酸二水素アンモニウム、水素アルキルリン酸アンモニウム、ジアルキルリン酸アンモニウムなどからなる群から選択される種々の化合物を指す。例えば、本明細書に記載されるジアリルジメチルアンモニウム塩類には、ジアリルジメチルアンモニウムクロリド（ＤＡＤＭＡＣ）、ジアリルジメチルアンモニウムフロリド、ジアリルジメチルアンモニウムブロミド、ジアリルジメチルアンモニウムヨード、ジアリルジメチルアンモニウムビスルフェート、ジアリルジメチルアンモニウムアルキルサルフェート、ジアリルジメチルアンモニウム二水素ホスフェート、ジアリルジメチルアンモニウム水素アルキルホスフェート、ジアリルジメチルアンモニウムジアルキルホスフェート及びこれらの組み合わせが挙げられるが、これらに限定されない。必須ではないものの、好ましくは、アンモニウム塩は、塩化アンモニウムである。
【００１４】
本明細書で使用するとき、請求項において使用される「ａ」及び「ａｎ」などの冠詞は、請求される又は記載される１つ又は２つ以上のものを意味すると理解される。
【００１５】
本明細書で使用するとき、用語「含む（comprising, comprises）」、及び「含む、挙げられる（include, includes, including）」は、非限定であることを意味する。用語「からなる」又は「から本質的になる」は、限定することを意味し、すなわち、不純物として存在する場合を除いて、明示されていない任意の構成要素又は構成成分を除外するものである。本明細書で使用されるとき、用語「実質的に含まない」は、ある成分が全く存在しないこと、又は、単なる不純物若しくは意図的でない別の成分の副産物がごくわずかに存在すること、のいずれかを指す。一部の態様では、ある成分を「実質的に含まない」組成物とは、その組成物が、その組成物の重量を基準として、当該成分を、０．１重量％未満、又は０．０１重量％未満、又は更には０重量％含むということを意味する。
【００１６】
本明細書で使用するとき、語句「布地ケア組成物」は、布地を処理することを意図した組成物及び処方物を含む。このような組成物には、洗濯洗浄組成物及び洗剤、布地柔軟化組成物、布地向上組成物、布地フレッシュニング組成物、洗濯予洗液、洗濯前処理液、洗濯添加剤、スプレー製品、ドライクリーニング剤又は組成物、洗濯すすぎ添加剤、洗浄添加剤、すすぎ後布地処理剤、アイロン助剤、単位用量処方物、遅延送達処方物、多孔質基材又は不織布シートの上又は中に含まれる洗剤、並びに本明細書の教示を鑑みて当業者に明らかとなり得る他の好適な形態が挙げられるが、これらに限定されない。このような組成物は、洗濯前処理剤、洗濯後処理剤として使用されてもよく、あるいは、洗濯操作のすすぎ又は洗浄サイクル中に添加されてもよい。
【００１７】
本明細書で使用するとき、用語「固体」は、顆粒、粉末、棒状、ビーズ状及び錠剤の製品形態を含む。
【００１８】
本明細書で使用するとき、用語「流体」は、液体、ゲル、ペースト及び気体の製品形態を含む。
【００１９】
本明細書で使用するとき、用語「液体」は、２５℃及び剪断速度２０秒−１で、約１〜約２０００ｍＰａ＊ｓの粘度を有する液体を有する流体を指す。いくつかの実施形態では、液体の粘度は、２５℃、２０秒−１の剪断速度で約２００〜約１０００ｍＰａ＊ｓの範囲であり得る。いくつかの実施形態では、液体の粘度は、２５℃、２０秒−１の剪断速度で約２００〜約５００ｍＰａ＊ｓの範囲であり得る。
【００２０】
本明細書で使用するとき、用語「カチオン性ポリマー」は、正味カチオン電荷を有するポリマーを意味する。更に、本明細書に記載のカチオン性ポリマーは、一般に、ポリマー形成モノマー（例えば、（メタ）アクリルアミドモノマー、ＤＡＤＭＡＳモノマーなど）から既知の方法に従って合成されることが理解される。本明細書で使用するとき、得られるポリマーは、カチオン性ポリマーの「重合部分」とみなされる。しかしながら、合成反応が完了した後、ポリマー形成モノマーの一部分は、未反応のままであるか、かつ／又はオリゴマーを形成し得る。本明細書で使用するとき、未反応モノマー及びオリゴマーは、カチオン性ポリマーの「非重合部分」とみなされる。本明細書で使用するとき、用語「カチオン性ポリマー」は、別段の指示がない限り、重合部分と非重合部分の両方を含む。いくつかの態様では、カチオン性ポリマーは、カチオン性ポリマーの非重合部分を含む。いくつかの態様では、カチオン性ポリマーは、カチオン性ポリマーの重量に対して、約５０％未満、約３５％未満、約２０％未満、約１５％未満、約１０％未満、約５％未満、又は約２％未満の非重合部分を含む。非重合部分は、ポリマー形成モノマー、カチオン性ポリマー形成モノマー、ＤＡＤＭＡＣモノマー及び／又はこれらのオリゴマーを含み得る。いくつかの態様では、カチオン性ポリマーは、カチオン性ポリマーの重量に対して、約５０％超、約６５％超、約８０％超、約８５％超、約９０％超、約９５％超、又は約９８％超の重合部分を含む。更に、一度重合されたポリマー形成モノマーは、重合繰り返し／構造単位を形成するように変性され得ることは理解される。例えば、重合した酢酸ビニルを加水分解してビニルアルコールを形成することができる。
【００２１】
本明細書で使用するとき、「電荷密度」は、ポリマー自体の正味電荷密度を指し、原料モノマーとは異なることがある。ホモポリマーの電荷密度は、繰り返し（構造）単位当たりの正味電荷数を、繰り返し単位の分子量で除することにより計算することができる。正電荷は、ポリマーの主鎖上及び／又はポリマーの側鎖上に位置してもよい。一部のポリマーに関して、例えば、アミン構造単位を有するポリマーでは、電荷密度はキャリアのｐＨに依存する。これらのポリマーについては、ｐＨ７でのモノマーの電荷に基づいて電荷密度を計算する。「ＣＣＤ」はカチオン電荷密度を指し、「ＡＣＤ」はアニオン電荷密度を指す。通常、電荷は、必ずしも親モノマーではなく、重合構造単位に基づいて決定される。
【００２２】
本明細書で使用するとき、用語「カチオン電荷密度」（ＣＣＤ）は、ポリマー１ｇ当たりに存在する正味正電荷の量を意味する。カチオン電荷密度（ポリマー１ｇ当たりの電荷の当量単位）は、以下の等式に従って計算することができる。
【００２３】
【数１】
2019049002.tif 000002
式中、Ｑｃ、Ｑｎ及びＱａはそれぞれ、（存在する場合の）カチオン性、非イオン性及びアニオン性の繰り返し単位の電荷のモル当量であり、モル％ｃ、モル％ｎ及びモル％ａはそれぞれ、（存在する場合の）カチオン性、非イオン性及びアニオン性の繰り返し単位のモル比であり、ＭＷｃ、ＭＷｎ及びＭＷａはそれぞれ、（存在する場合の）カチオン性、非イオン性及びアニオン性の繰り返し単位の分子量である。１ｇ当たりの電荷当量を１ｇ当たりの電荷ミリ当量（ｍｅｑ／ｇ）に変換するには、当量を１０００倍する。ポリマーが複数種のカチオン性繰り返し単位、複数種の非イオン性繰り返し単位及び／又は複数種のアニオン性繰り返し単位を含む場合、当業者であれば、前記等式を適宜修正できるであろう。
【００２４】
例として、１６１．６７ｇ／モルのモノマー分子量を有するカチオン性ホモポリマー（モル比＝１００％又は１．００）の場合、ＣＣＤは次のように計算される。ポリマー電荷密度は、（１）×（１．００）／（１６１．６７）×１０００＝６．１９ｍｅｑ／ｇである。１６１．６７の分子量を有するカチオン性モノマーと、７１．０７９の分子量を有する中性コモノマーとのモル比１：１のコポリマーは、（１×０．５０）／［（０．５０×１６１．６７）＋（０．５０×７１．０７９）］＊１０００＝４．３ｍｅｑ／ｇとして計算される。１６１．６７の分子量を有するカチオン性モノマーと、７１．０７９の分子量を有する中性コモノマーと、９４．０４ｇ／モルの中性分子量を有するアニオン性コモノマーとのモル比８０．８：１５．４：３．８のターポリマーは、５．３ｍｅｑ／ｇのカチオン電荷密度を有する。
【００２５】
本明細書における全ての温度は、別段の指定がない限り、摂氏（℃）である。特に記載のない限り、本明細書中の全ての測定は、２０℃及び大気圧下で実施される。
【００２６】
本開示の全ての実施形態において、特に記載のない限り、全ての百分率は組成物の総重量を基準とする。特に記載のない限り、全ての比率は重量比である。
【００２７】
本明細書にて記載し、特許請求する組成物及び方法の各パラメータ値を求めるには、本出願の試験方法の項で開示される試験方法を使用すべきであることが理解される。
【００２８】
布地ケア組成物
本開示は、布地ケア組成物に関する。好ましくは、組成物は、洗濯前処理剤として又は洗浄サイクル中に使用される。洗浄組成物は、例えば、液体、粉末、単相若しくは多相単位用量、パウチ、錠剤、ゲル、ペースト、棒状又はフレークから選択される形態を含む、任意の所望の形態であってもよい。
【００２９】
洗剤組成物は、液体洗濯洗剤であってもよい。液体洗濯洗剤組成物は、約１〜約２０００センチポアズ（１〜２０００ｍＰａ・ｓ）、又は約２００〜約８００センチポアズ（２００〜８００ｍＰａ・ｓ）の粘度を有し得る。粘度は、Ｂｒｏｏｋｆｉｅｌｄ粘度計、スピンドル番号２を６０ＲＰＭ／ｓで用い、２５℃で測定して求める。
【００３０】
洗濯洗剤組成物は、固体洗濯洗剤組成物であっても、流動性粒子状洗濯洗剤組成物（すなわち、粒状の洗剤製品）であってもよい。
【００３１】
布地ケア組成物は、単位用量形態であってもよい。単位用量物品は、物品内に含まれる組成物の特定用途のための用量を１回で簡単に使用できることが意図される。単位用量形態は、パウチ又は水溶性シートであってもよい。パウチは、少なくとも１つ、少なくとも２つ又は少なくとも３つの区画を備える。通常、組成物は、複数の区画のうちの少なくとも１つに収容される。区画は、重ねて配向された状態で配置されてもよく、すなわち、１つの区画が他の区画の上に配置され、共通の壁部を共有し得る。少なくとも１つの区画が別の区画の上に重ねられてもよい。あるいは、区画は、並べて配向された状態で配置されてもよく、すなわち、１つの区画が他の区画の隣に配置されてもよい。区画は、更に「タイヤ・リム」配列に配向されてもよく、すなわち、第１の区画が第２の区画の隣に位置し、第１の区画は少なくとも部分的に第２の区画を囲むが、第２の区画を完全に包んではいない。あるいは、１つの区画が別の区画内に完全に包まれていてもよい。
【００３２】
単位用量形態は、区画を形成し、洗剤組成物を封入する水溶性フィルムを備え得る。好ましいフィルム材は、ポリマー材料であり、例えば、水溶性フィルムは、ポリビニルアルコールを含み得る。フィルム材料は、当該技術分野において既知であるように、例えば、ポリマー材料のキャスティング、吹込成形、押出成形、又は吹込押出成形により得ることができる。好適なフィルムは、Ｍｏｎｏｓｏｌ（Ｍｅｒｒｉｌｌｖｉｌｌｅ、Ｉｎｄｉａｎａ、ＵＳＡ）が商品照会名Ｍ８６３０、Ｍ８９００、Ｍ８７７９及びＭ８３１０で供給するもの、米国特許第６１６６１１７号、米国特許第６７８７５１２号及び米国特許出願公開第２０１１／０１８８７８４号に記載のフィルム、並びに対応する溶解度及び変形特性を有するＰＶＡフィルムである。
【００３３】
布地ケア組成物が液体である場合、布地ケア組成物は、通常、水を含む。組成物は、組成物の重量に対して、約１％〜約８０％の水を含み得る。組成物が重質の液体洗剤組成物である場合、組成物は、通常、約４０％〜約８０％の水を含む。組成物がコンパクト液体洗剤である場合、組成物は、通常、約２０％〜約６０％、又は約３０％〜約５０％の水を含む。組成物が、例えば、水溶性フィルム内に封入される単位用量形態である場合、組成物は、通常、２０％未満、１５％未満、１２％未満、１０％未満、８％未満、又は５％未満の水を含む。組成物は、組成物の重量に対して、約１％〜２０％、約３％〜約１５％又は約５％〜約１２％の水を含み得る。
【００３４】
カチオン性ポリマー
本開示の洗剤組成物は、カチオン性ポリマーを含む。本開示にて使用されるカチオン性ポリマーは、少なくとも２種類の構造単位からなるポリマーである。構造単位、すなわちモノマーは、ランダム型又はブロック型のカチオン性ポリマーで組み込まれ得る。
【００３５】
洗剤組成物は、通常、洗剤組成物の重量に対して、約０．０１％〜約２％、〜約１．５％、〜約１％、〜約０．７５％、〜約０．５％若しくは〜約０．３％まで、又は約０．０５％〜約０．２５％のカチオン性ポリマーを含む。カチオン性ポリマーは、（ｉ）第１の構造単位と、（ｉｉ）第２の構造単位と、所望により（ｉｉｉ）第３の構造単位と、を含んでもよい。（ｉ）、（ｉｉ）及び（ｉｉｉ）のモル％は、合計すると１００モル％であり得る。（ｉ）及び（ｉｉ）のモル％は、合計すると１００モル％であり得る。
【００３６】
カチオン性ポリマーは、本明細書に記載の第１及び第２の構造単位のみを含むコポリマーであってもよく、すなわち、ポリマー主鎖又は側鎖のいずれにもいかなる他の構造要素を実質的に含まない。更に、カチオン性ポリマーは、本明細書に記載の第１、第２及び第３の構造単位のみを含むターポリマーであってもよく、いかなる他の構造要素も実質的に含まない。あるいは、カチオン性ポリマーは、本明細書にて上述した第１、第２及び第３の構造単位に加えて、１つ又は２つ以上の追加の構造単位を含むことができる。
【００３７】
本開示のカチオン性ポリマー中の第１の構造単位は、（メタ）アクリルアミド（（Ｍ）ＡＡｍ）由来であってもよい。カチオン性ポリマーは、約５モル％〜約４５モル％、約１０モル％〜約４０モル％、又は約１５モル％〜約３０モル％の（Ｍ）ＡＡｍ由来構造単位を含み得る。カチオン性ポリマー中の第１の構造単位は、メタクリルアミド、アクリルアミド及びこれらの混合物から選択され得る。第１の構造単位は、アクリルアミドであってもよい。
【００３８】
本開示のカチオン性ポリマー中の第２の構造単位は、カチオン性であってもよい。カチオン性ポリマー中の第２の構造単位は、通常、カチオン性モノマー由来であり得る。カチオン性ポリマーは、約５５モル％〜約９５モル％、約６０モル％〜約９０モル％、又は約７０モル％〜約８５モル％の第２の構造単位を含み得る。
【００３９】
カチオン性ポリマー中の第２の構造単位は、本明細書にて上述したジアリルジメチルアンモニウム塩（ＤＡＤＭＡＳ）由来であってもよい。ジアリルジメチルアンモニウム塩は、ジアリルジメチルアンモニウムクロリド（ＤＡＤＭＡＣ）であってもよい。カチオン性ポリマーは、約５５モル％〜約９５モル％、約６０モル％〜約９０モル％、又は約７０モル％〜約８５モル％のＤＡＤＭＡＣ由来構造単位を含み得る。
【００４０】
カチオン性ポリマーは、第３の構造単位を含んでもよい。カチオン性ポリマーは、約０．０１モル％〜約１０モル％、又は約０．１モル％〜約５モル％、又は約１％〜約４％の第３の構造単位を含み得る。ポリマーは、０％の第３の構造単位を含む。
【００４１】
第３の構造単位は、アクリル酸（ＡＡ）由来であってもよい。カチオン性ポリマーは、約０．０１モル％〜約１５モル％、約０．０５モル％〜約１０モル％、約０．１モル％〜約５モル％、又は約１モル％〜約４モル％のアクリル酸を含み得る。ポリマーは、０モル％のアクリル酸を含み得る。
【００４２】
カチオン性ポリマーは、第３の構造単位のいずれをも含まないコポリマーであってもよい（すなわち、第３の構造単位の存在は０モル％である）。カチオン性ポリマーは、本明細書にて上述した第１、第２及び第３の構造単位を含み、いかなる他の構造単位も実質的に含まない。
【００４３】
カチオン性ポリマーは、（ｉ）約５モル％〜約４５モル％、好ましくは約１５モル％〜約３０モル％の（メタ）アクリルアミドに由来する第１の構造単位と、（ｉｉ）約５５モル％〜約９５モル％、好ましくは約７０モル％〜約８５モル％の、ＤＡＤＭＡＳに由来するか、又はＤＡＤＭＡＣに由来する第２の構造単位と、を含むか、これらから本質的になるか、又はこれらからなる、（Ｍ）ＡＡｍ／ＤＡＤＭＡＳコポリマーであり得る。
【００４４】
カチオン性ポリマーは、約５モル％〜約４５モル％、好ましくは約１５モル％〜約３０モル％の（メタ）アクリルアミドに由来する第１の構造単位と、（ｉｉ）約５５モル％〜約９４．９９モル％、好ましくは約７０モル％〜約８５モル％の、ＤＡＤＭＡＳに由来するか、又はＤＡＤＭＡＣに由来する第２の構造単位と、（ｉｉｉ）約０．０１モル％〜約１５モル％、約０．１モル％〜約５モル％、又は約１％〜約４％のアクリル酸に由来する第３の構造単位と、を含むか、これらから本質的になるか、又はこれらからなる、（Ｍ）ＡＡｍ／ＤＡＤＭＡＳ／ＡＡターポリマーであり得る。
【００４５】
組成物は、カチオン性ポリマーを含み得、カチオン性ポリマーは、（ｉ）約５モル％〜約５０モル％、又は約１５モル％〜約３０モル％の（メタ）アクリルアミドに由来する第１の構造単位と、（ｉｉ）約５０モル％〜約９５モル％、又は約７０モル％〜約８５モル％の、ＤＡＤＭＡＳに由来するか、又はＤＡＤＭＡＣに由来する第２の構造単位と、を含み、この組成物は、アニオン性界面活性剤と非イオン性界面活性剤とを約１．１：１〜約２．５：１、約１．５：１〜約２．５：１、又は約２：１の比で含む界面活性剤系を含む。
【００４６】
本明細書にて上述したカチオン性ポリマーの第１、第２及び任意選択的な第３の構造単位を特定のモル百分率範囲にすることで、洗濯及びすすぎサイクル中に、当該カチオン性ポリマーを含む洗濯洗剤組成物によって生じる最適な柔軟性のある感触及び白さプロファイルをもたらすことができる。
【００４７】
本明細書に記載のカチオン性ポリマーは、ある重量平均分子量を有する。カチオン性ポリマーは、約５ｋダルトン〜約２００ｋダルトン、約１０ｋダルトン〜約１００ｋダルトン、約１５ｋダルトン〜約５０ｋダルトン、又は約１５ｋダルトン〜約３５ｋダルトンの重量平均分子量を有し得る。カチオン性ポリマーの分子量を慎重に選択することは、布地に通常見られた白さの低下、特に複数回の洗濯を受けた後の白さの低下を低減するのに特に有効であることが判明した。カチオン性ポリマーは、布地の白さの低下に関与することが知られており、これがかかるポリマーのより広範な使用を制限する要因である。しかしながら、出願人らは、特に本明細書に記載の界面活性剤系の存在下で、カチオン性ポリマーの分子量を特定範囲内に制御することにより、従来の高分子量のカチオン性ポリマーと比較して、布地の白さの低下を効果的に改善し、かつ感触効果を維持又は改善できることを発見した。
【００４８】
更に、カチオン性ポリマーの分子量及びカチオン含量が、製品の粘度に影響する場合がある。本開示のポリマーの分子量はまた、製品の粘度への影響を最小限に抑えて、製品の不安定化、並びに高分子量及び／又は広範な分子量分布に関係する曳糸性を回避するように選択される。
【００４９】
洗剤組成物における洗浄及び／又は白さの効果を維持するために、比較的低いカチオン電荷密度、例えば４ｍｅｑ／ｇ未満を有するカチオン性ポリマーを採用することが当該技術分野において知られている。しかしながら、驚くべきことに、本組成物中には、良好な洗浄及び／又は白さの効果を保持しながら、比較的高い電荷密度、例えば４ｍｅｑ／ｇを超えるカチオン性ポリマーを用い得ることが見出された。したがって、本明細書に記載のカチオン性ポリマーは、カチオン電荷密度が約４ｍｅｑ／ｇ、約５ｍｅｑ／ｇ又は約５．２ｍｅｑ／ｇから、約１２ｍｅｑ／ｇ、約１０ｍｅｑ／ｇ、約８ｍｅｑ／ｇ、約７ｍｅｑ／ｇ、又は約６．５ｍｅｑ／ｇまでであることを特徴とし得る。本明細書に記載のカチオン性ポリマーは、カチオン電荷密度が約４ｍｅｑ／ｇ〜約１２ｍｅｑ／ｇ、又は約４．５ｍｅｑ／ｇ〜約７ｍｅｑ／ｇであることを特徴とする。
【００５０】
本明細書に記載のカチオン性ポリマーは、シリコーン由来構造単位を実質的に含んでいないか、又は、含んでいなくてもよい。この限定は、洗剤組成物自体がシリコーンを含むことを除外するものではなく、また本明細書に記載のカチオン性ポリマーが当該洗剤組成物中又は洗浄溶液中に含まれるシリコーンと複合化することを除外するものでもないことが理解される。
【００５１】
本開示の組成物は、特に組成物がアミラーゼ、リパーゼ及び／又はプロテアーゼなどの酵素を含む場合、カチオン性ヒドロキシエチレンセルロースなどの多糖系カチオン性ポリマーを実質的に含んでいなくてもよい。このような多糖系ポリマーは、通常、市販されている酵素中に微量に存在することが多いセルラーゼ酵素による分解を受けやすい。したがって、多糖系カチオン性ポリマーを含む組成物は、通常、セルラーゼが意図的に添加されない場合であっても、一般的に酵素とともには用いられない。
【００５２】
シリコーン
本布地ケア組成物は、感触及び／又は色の効果を布地にもたらすことが知られている有益剤であるシリコーンを含み得る。出願人らは、驚くべきことに、シリコーンと、カチオン性ポリマーと、界面活性剤系と、を含む本開示に係る組成物が、柔軟性及び／又は白さの効果を改善することを見出した。
【００５３】
布地ケア組成物は、組成物の重量に対して、約０．１％〜約３０％、約０．１％〜約１５％、約０．２％〜約１２％、約０．５％〜約１０％、約０．７％〜約９％、又は約１％〜約５％のシリコーンを含み得る。
【００５４】
シリコーンは、Ｓｉ−Ｏ部分を含むポリマーであるポリシロキサンであってもよい。シリコーンは、官能化シロキサン部分を含むシリコーンであってもよい。好適なシリコーンは、Ｓｉ−Ｏ部分を含み得、（ａ）非官能化シロキサンポリマー、（ｂ）官能化シロキサンポリマー及びこれらの組み合わせから選択することができる。官能化シロキサンポリマーは、アミノシリコーン、シリコーンポリエーテル、ポリジメチルシロキサン（ＰＤＭＳ）、カチオン性シリコーン、シリコーンポリウレタン、シリコーンポリ尿素又はこれらの混合物を含み得る。シリコーンは、環状シリコーンを含み得る。環状シリコーンは、式［（ＣＨ３）２ＳｉＯ］ｎ（式中、ｎは、約３〜約７、又は約５〜約６の範囲であり得る整数である）のシクロメチコンを含み得る。
【００５５】
シリコーンの分子量は、通常、材料の粘度に照らして示される。シリコーン類は、２５℃で、約１０〜約２，０００，０００平方ミリメートル毎秒（約１０〜約２，０００，０００センチストークス）の粘度を備え得る。好適なシリコーンは、２５℃で、約１０〜約８００，０００平方ミリメートル毎秒、約１００〜約２００，０００平方ミリメートル毎秒、約１０００〜約１００，０００平方ミリメートル毎秒、約２０００〜約５０，０００平方ミリメートル毎秒、又は約２５００〜約１０，０００平方ミリメートル毎秒（約１０〜約８００，０００センチストークス、約１００〜約２００，０００センチストークス、約１０００〜約１００，０００センチストークス、約２０００〜約５０，０００センチストークス、又は約２５００〜約１０，０００センチストークス）の粘度を有し得る。
【００５６】
好適なシリコーンは、直鎖状、分岐状又は架橋型であってもよい。シリコーンは、シリコーン樹脂を含み得る。シリコーン樹脂は、高架橋ポリマーシロキサン系である。架橋は、シリコーン樹脂の製造中に、三官能性及び四官能性シランを一官能性又は二官能性又はこれら両方のシランとともに組み込むことによって導入される。本明細書で使用するとき、ＳｉＯ「ｎ」／２という命名法は、酸素のケイ素原子に対する比を表す。例えば、ＳｉＯ１／２は、１つの酸素が２つのＳｉ原子間で共有されていることを意味する。同様に、ＳｉＯ２／２は、２つの酸素原子が２つのＳｉ原子間で共有されていることを意味し、ＳｉＯ３／２は、３つの酸素原子が２つのＳｉ原子間で共有されていることを意味する。
【００５７】
シリコーンは、非官能化シロキサンポリマーを含み得る。非官能化シロキサンポリマーは、ポリアルキル及び／又はフェニルシリコーンの流体、樹脂及び／又はゴムを含み得る。非官能化シロキサンポリマーは、以下の式（Ｉ）を有し得る。
［Ｒ１Ｒ２Ｒ３ＳｉＯ１／２］ｎ［Ｒ４Ｒ４ＳｉＯ２／２］ｍ［Ｒ４ＳｉＯ３／２］ｊ
式（Ｉ）
式中、
ｉ）各Ｒ１、Ｒ２、Ｒ３及びＲ４は、独立して、Ｈ、−ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール及び／又はＣ１〜Ｃ２０アルコキシ部分からなる群から選択することができ、
ｉｉ）ｎは、ｎ＝ｊ＋２となるように、約２〜約１０、若しくは約２〜約６の整数、又は２であってもよく、
ｉｉｉ）ｍは、約５〜約８，０００、約７〜約８，０００、又は約１５〜約４，０００の整数であってもよく、
ｉｖ）ｊは、０〜約１０、又は０〜約４の整数、又は０であってもよい。
【００５８】
Ｒ２、Ｒ３及びＲ４は、メチル、エチル、プロピル、Ｃ４〜Ｃ２０アルキル、及び／又はＣ６〜Ｃ２０アリール部分を含み得る。Ｒ２、Ｒ３及びＲ４のそれぞれは、メチルであってもよい。シリコーン鎖の末端をブロックするそれぞれのＲ１部分は、水素、メチル、メトキシ、エトキシ、ヒドロキシ、プロポキシ、及び／又はアリールオキシからなる群から選択される部分を含み得る。
【００５９】
シリコーンは、官能化シロキサンポリマーを含み得る。官能化シロキサンポリマーは、アミノ、アミド、アルコキシ、ヒドロキシ、ポリエーテル、カルボキシ、ヒドリド、メルカプト、サルフェート、ホスフェート、及び／又は第四級アンモニウム部分からなる群から選択される１つ又は２つ以上の官能化部分を含み得る。これらの部分は、二価アルキレンラジカルを通してシロキサン主鎖に直接結合してもよく（すなわち、「ペンダント」）、又は主鎖の一部であってもよい。好適な官能化シロキサンポリマーとしては、アミノシリコーン、アミドシリコーン、シリコーンポリエーテル、シリコーン−ウレタンポリマー、第４級ＡＢｎシリコーン、アミノＡＢｎシリコーン、及びこれらの組み合わせからなる群から選択される材料が挙げられる。
【００６０】
官能化シロキサンポリマーは、「ジメチコンコポリオール」とも呼ばれるシリコーンポリエーテルを含んでもよい。一般に、シリコーンポリエーテルは、１本又は２本以上のポリオキシアルキレン鎖を有するポリジメチルシロキサン主鎖を含む。ポリオキシアルキレン部分は、ペンダント鎖として、又は末端ブロックとしてポリマーに組み込まれ得る。かかるシリコーンは、米国特許出願公開第２００５／００９８７５９号、並びに米国特許第４，８１８，４２１号、及び同第３，２９９，１１２号に記載されている。例示的な商業的に入手可能なシリコーンポリエーテルとしては、ＤＣ  １９０、ＤＣ  １９３、ＦＦ  ４００（いずれも、Ｄｏｗ  Ｃｏｒｎｉｎｇ（登録商標）Ｃｏｒｐｏｒａｔｉｏｎから入手可能である）、及び様々なＳｉｌｗｅｔ（登録商標）界面活性剤（Ｍｏｍｅｎｔｉｖｅ  Ｓｉｌｉｃｏｎｅｓから入手可能である）が挙げられる。
【００６１】
シリコーンは、以下の式（ＩＩ）を有するランダム型又はブロック型のシリコーンポリマーから選択することができる。
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式（ＩＩ）
式中、
ｊは、０〜約９８の整数であり、一態様では、ｊは、０〜約４８の整数であり、一態様では、ｊは、０であり、
ｋは、０〜約２００の整数であり、一態様では、ｋは、０〜約５０、又は約２〜約２０の整数であり、ｋ＝０のとき、少なくともＲ１、Ｒ２又はＲ３のうちの１つが−Ｘ−Ｚであり、
ｍは、４〜約５，０００の整数であり、一態様において、ｍは、約１０〜約４，０００の整数であり、別の態様において、ｍは、約５０〜約２，０００の整数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ−Ｚからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ及びＣ１〜Ｃ３２置換アルコキシからなる群から選択され、
前記アルキルシロキサンポリマー中の各Ｘは、２〜１２個の炭素原子を含む置換又は無置換の二価アルキレンラジカルを含み、一態様では、それぞれの二価アルキレンラジカルは、独立して、−（ＣＨ２）ｓ−（式中、ｓは、約２〜約８、約２〜約４の整数である）からなる群から選択され、一態様では、前記アルキルシロキサンポリマー中の各Ｘは、−ＣＨ２−ＣＨ（ＯＨ）−ＣＨ２−、−ＣＨ２−ＣＨ２−ＣＨ（ＯＨ）−、及び
【００６２】
【化１】
2019049002.tif 000003
からなる群から選択される置換された二価アルキレンラジカルを含み、
各Ｚは、独立して、
【００６３】
【化２】
2019049002.tif 000004
からなる群から選択され、
ただし、Ｚが第四級アンモニウム化合物である場合、Ｑは、アミド、イミン、又は尿素部分ではあり得ず、
Ｚに関して、Ａｎ−は、好適な電荷平衡アニオンであり、例えば、Ａｎ−は、Ｃｌ−、Ｂｒ−、Ｉ−、メチルサルフェート、トルエンスルホネート、カルボキシレート及びホスフェートからなる群から選択され得、前記シリコーン中の少なくとも１つのＱは、独立して、Ｈ、
−ＣＨ２−ＣＨ（ＯＨ）−ＣＨ２−Ｒ５、
【００６４】
【化３】
2019049002.tif 000005
から選択され、
前記シリコーン中の各追加のＱは、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−ＣＨ２−ＣＨ（ＯＨ）−ＣＨ２−Ｒ５、
【００６５】
【化４】
2019049002.tif 000006
からなる群から選択され、
各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ及びシロキシル残基からなる群から選択され、
各Ｒ６は、独立して、Ｈ、Ｃ１〜Ｃ１８アルキルから選択され、
各Ｌは、独立して、−Ｃ（Ｏ）−Ｒ７又はＲ７から選択され、
ｗは、０〜約５００の整数であり、一態様では、ｗは、約１〜約２００の整数であり、一態様において、ｗは、約１〜約５０の整数であり、
各Ｒ７は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール及びシロキシル残基からなる群から選択され、
各Ｔは、独立して、Ｈ、
【００６６】
【化５】
2019049002.tif 000007
から選択され、
前記シリコーン中の各ｖは、１〜約１０の整数であり、一態様では、ｖは、１〜約５の整数であり、シリコーン中の各Ｑにおける全ての添え字ｖの合計は、１〜約３０又は１〜約２０更に又は１〜約１０の整数である。
【００６７】
Ｒ１は、−ＯＨを含み得る。
【００６８】
官能化シロキサンポリマーは、アミノシリコーンを含み得る。アミノシリコーンは、官能基を含み得る。官能基は、モノアミン、ジアミン又はこれらの組み合わせを含み得る。官能基は、一級アミン、二級アミン、三級アミン、四級化アミン又はこれらの組み合わせを含み得る。官能基は、一級アミン、二級アミン又はこれらの組み合わせを含み得る。
【００６９】
例えば、官能化シロキサンポリマーは、式ＩＩ（上述）の式を有するアミノシリコーンを含み得、式中、ｊは、０であり、ｋは、１〜約１０の整数であり、ｍは、１５０〜約１０００、又は約３２５〜約７５０、又は約４００〜約６００の整数であり、各Ｒ１、Ｒ２及びＲ３は、独立して、Ｃ１〜Ｃ３２アルコキシ及びＣ１〜Ｃ３２アルキルから選択され、各Ｒ４は、Ｃ１〜Ｃ３２アルキルであり、各Ｘは、−（ＣＨ２）ｓ−（式中、ｓは、約２〜約８、又は約２〜約４の整数である）からなる群から選択され、各Ｚは、独立して、
【００７０】
【化６】
2019049002.tif 000008
（式中、シリコーン中の各Ｑは、Ｈからなる群から選択される）からなる群から選択される。
【００７１】
官能化シロキサンポリマーは、式ＩＩ（上述）の式を有するアミノシリコーンを含み得、式中、ｊは、０であり、ｋは、１〜約１０の整数であり、ｍは、１５０〜約１０００、又は約３２５〜約７５０、又は約４００〜約６００の整数であり、各Ｒ１、Ｒ２及びＲ３は、独立して、Ｃ１〜Ｃ３２アルコキシ及びＣ１〜Ｃ３２アルキルから選択され、各Ｒ４は、Ｃ１〜Ｃ３２アルキルであり、各Ｘは、−（ＣＨ２）ｓ−（式中、ｓは、約２〜約８、又は約２〜約４の整数である）からなる群から選択され、各Ｚは、独立して、
【００７２】
【化７】
2019049002.tif 000009
（式中、シリコーン中の各Ｑは、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール及びＣ５〜Ｃ３２置換アルキルアリールからなる群から選択されるが、両方のＱがＨ原子であることはない）からなる群から選択される。
【００７３】
他の好適なアミノシリコーンは、米国特許第７，３３５，６３０（Ｂ２）号及び同第４，９１１，８５２号、並びに米国特許出願公開第２００５／０１７０９９４（Ａ１）号に記載されている。アミノシリコーンは、米国特許仮出願公開第６１／２２１，６３２号に記載されているものであってもよい。
【００７４】
例示的な市販のアミノシリコーンには、Ｄｏｗ  Ｃｏｒｎｉｎｇ（登録商標）Ｃｏｒｐｏｒａｔｉｏｎから入手可能なＤＣ  ８８２２、２−８１７７及びＤＣ−９４９、Ｓｈｉｎ−Ｅｔｓｕ  Ｓｉｌｉｃｏｎｅｓ（Ａｋｒｏｎ，ＯＨ）から入手可能なＫＦ−８７３、並びにＭｏｍｅｎｔｉｖｅ（Ｃｏｌｕｍｂｕｓ，Ｏｈｉｏ，ＵＳＡ）から入手可能なＭａｇｎａｓｏｆｔ  Ｐｌｕｓが挙げられる。
【００７５】
官能化シロキサンポリマーは、米国特許仮出願公開第６１／１７０，１５０号に記載されているようなシリコーン−ウレタンを含み得る。これらは、Ｗａｃｋｅｒ  Ｓｉｌｉｃｏｎｅｓから商標名ＳＬＭ−２１２００（登録商標）で市販されている。
【００７６】
他の変性シリコーン又はシリコーンコポリマーも本明細書にて有用であり得る。これらの例には、米国特許第６，６０７，７１７号及び同第６，４８２，９６９号に開示されているシリコーン系第四級アンモニウム化合物（ケナン第四級化合物）；末端四級シロキサン；米国特許第５，８０７，９５６号及び同第５，９８１，６８１号に開示されているシリコーンアミノポリアルキレンオキシドブロックコポリマー；米国特許第６，２０７，７８２号に開示されている親水性シリコーンエマルション；米国特許第７，４６５，４３９号に開示されている、１つ又は２つ以上の架橋した熊手又は櫛型シリコーンコポリマーセグメントから構成されるポリマーが挙げられる。本明細書にて有用な更なる変性シリコーン又はシリコーンコポリマーは、米国特許出願第２００７／０２８６８３７（Ａ１）号及び同第２００５／００４８５４９（Ａ１）号に記載されている。
【００７７】
上述のシリコーン系四級アンモニウム化合物は、米国特許第７，０４１，７６７号及び同第７，２１７，７７７号並びに米国特許出願第２００７／００４１９２９（Ａ１）号に記載されているシリコーンポリマーと混ぜ合わせてもよい。
【００７８】
シリコーンは、アミンＡＢｎシリコーン及び第四級ＡＢｎシリコーンを含み得る。このようなシリコーンは、一般に、ジアミンとエポキシドとの反応によって生成される。これらは、例えば、米国特許第６，９０３，０６１（Ｂ２）号、同第５，９８１，６８１号、同第５，８０７，９５６号、同第６，９０３，０６１号及び同第７，２７３，８３７号に記載されている。これらは、商標名Ｍａｇｎａｓｏｆｔ（登録商標）Ｐｒｉｍｅ、Ｍａｇｎａｓｏｆｔ（登録商標）ＪＳＳ、Ｓｉｌｓｏｆｔ（登録商標）Ａ−８５８（全てＭｏｍｅｎｔｉｖｅ  Ｓｉｌｉｃｏｎｅｓ製）として市販されている。
【００７９】
アミンＡＢｎシリコーン及び／又は第四級ＡＢｎシリコーンを含むシリコーンは、以下の式（ＩＩＩ）の構造を有し得る。
Ｄｚ−（Ｅ−Ｂ）ｘ−Ａ−（Ｂ−Ｅ）ｘ−Ｄｚ              式（ＩＩＩ）
式中、
各添え字ｘは、独立して、１〜２０、１〜１２、１〜８、又は２〜６の整数であり、
各ｚは、独立して、０又は１であり、
Ａは、以下の構造を有し、
【００８０】
【化８】
2019049002.tif 000010
式中、
各Ｒ１は、独立して、Ｈ、−ＯＨ若しくはＣ１〜Ｃ２２アルキル基、一態様では、Ｈ、−ＯＨ若しくはＣ１〜Ｃ１２アルキル基、Ｈ、−ＯＨ若しくはＣ１〜Ｃ２アルキル基又は−ＣＨ３であり、
各Ｒ２は、独立して、二価のＣ１〜Ｃ２２アルキレンラジカル、二価のＣ２〜Ｃ１２アルキレンラジカル、二価の直鎖Ｃ２〜Ｃ８アルキレンラジカル、又は二価の直鎖Ｃ３〜Ｃ４アルキレンラジカルから選択され、
添え字ｎは、１〜約５，０００、約１０〜約１，０００、約２５〜約７００、約１００〜約５００、又は約４５０〜約５００の整数であり、
各Ｂは、独立して、以下の部分から選択され：
【００８１】
【化９】
2019049002.tif 000011
（式中、各構造に関して、Ｙは、Ｏ、Ｐ、Ｓ、Ｎ及びこれらの組み合わせからなる群から選択される１つ又は２つ以上のヘテロ原子が介在していてもよい二価のＣ２〜Ｃ２２アルキレンラジカル又は二価のＣ８〜Ｃ２２アリールアルキレンラジカルであり、一態様では、Ｏ、Ｐ、Ｓ、Ｎ及びこれらの組み合わせからなる群から選択される１つ又は２つ以上のヘテロ原子が介在していてもよい二価のＣ２〜Ｃ８アルキレンラジカル又は二価のＣ８〜Ｃ１６アリールアルキレンラジカルであり、一態様では、Ｏ、Ｎ及びこれらの組み合わせからなる群から選択される１つ又は２つ以上のヘテロ原子が介在していてもよい二価のＣ２〜Ｃ６アルキレンラジカル又は二価のＣ８〜Ｃ１２アリールアルキレンラジカルである）、
各Ｅは、独立して、以下の部分から選択され：
【００８２】
【化１０】
2019049002.tif 000012
式中、
各Ｒ５及び各Ｑは、独立して、Ｏ、Ｐ、Ｓ、Ｎ及びこれらの組み合わせからなる群から選択される１つ又は２つ以上のヘテロ原子が介在していてもよい二価のＣ１〜Ｃ１２直鎖又は分岐鎖の脂肪族炭化水素ラジカル、一態様では、Ｏ、Ｐ、Ｓ、Ｎ及びこれらの組み合わせからなる群から選択される１つ又は２つ以上のヘテロ原子が介在していてもよい二価のＣ１〜Ｃ８直鎖又は分岐鎖の脂肪族炭化水素ラジカル、一態様では、Ｏ、Ｎ及びこれらの組み合わせからなる群から選択される１つ又は２つ以上のヘテロ原子が介在していてもよい二価のＣ１〜Ｃ３直鎖又は分岐鎖の脂肪族炭化水素ラジカルから選択され、
各Ｒ６及びＲ７は、独立して、Ｈ、Ｃ１〜Ｃ２０アルキル、Ｃ１〜Ｃ２０置換アルキル、Ｃ６〜Ｃ２０アリール及びＣ６〜Ｃ２０置換アリール、一態様では、Ｈ、Ｃ１〜Ｃ１２アルキル、Ｃ１〜Ｃ１２置換アルキル、Ｃ６〜Ｃ１２アリール及びＣ６〜Ｃ１２置換アリール、Ｈ、一態様では、Ｃ１〜Ｃ３アルキル、Ｃ１〜Ｃ３置換アルキル、Ｃ６アリール及びＣ６置換アリール又はＨから選択されるが、ただし、各窒素原子上の少なくとも１つのＲ６はＨであり、
Ｅが
【００８３】
【化１１】
2019049002.tif 000013
から選択され、
ｚが１である場合、各Ｄは、Ｈ、−ＣＨ３又はＲ６から選択され、Ｅが
【００８４】
【化１２】
2019049002.tif 000014
である場合、ｚは０であり、Ｂは
【００８５】
【化１３】
2019049002.tif 000015
である。
【００８６】
シリコーンの試料を分析すると、かかる試料の指数が、平均では上式（Ｉ）〜（ＩＩＩ）に対して整数とならないことがあるが、こうした平均指数値は、上式（Ｉ）〜（ＩＩＩ）の指数の範囲内であることは当業者には認識される。
【００８７】
シリコーンエマルション
シリコーンは、エマルションとして又は更にナノエマルションとして、組成物に添加してもよいし、組成物中に存在してもよい。シリコーンエマルションの調製は、当業者には周知であり、例えば米国特許第７，６８３，１１９号及び米国特許出願第２００７／０２０３２６３（Ａ１）号を参照されたい。
【００８８】
シリコーンエマルションは、平均粒径が約１０ｎｍ〜約１０００ｎｍ、約２０ｎｍ〜約８００ｎｍ、約４０ｎｍ〜約５００ｎｍ、約７５ｎｍ〜約２５０ｎｍ、又は約１００ｎｍ〜約１５０ｎｍであることを特徴とし得る。エマルションの粒径は、Ｈｏｒｉｂａのレーザ散乱式粒子径分布分析装置モデルＬＡ−９３０（Ｈｏｒｉｂａ  Ｉｎｓｔｒｕｍｅｎｔｓ，Ｉｎｃ．）を製造者の説明書に従って用いて、レーザ光散乱技術によって測定される。
【００８９】
本開示のシリコーンエマルションは、上述した種類のシリコーンポリマーのいずれかを含み得る。エマルションを含み得るシリコーンの好適な例には、本明細書に記載したものなどのアミノシリコーンが挙げられる。
【００９０】
本開示のシリコーン含有エマルションは、エマルションの重量に対して、約１％〜約６０％、約５％〜約４０％、又は約１０％〜約３０％のシリコーン化合物を含み得る。
【００９１】
シリコーンエマルションは、１種類又は２種類以上の溶媒を含み得る。本開示のシリコーンエマルションは、シリコーンの重量に対して、約０．１％〜約２０％、〜約１２％又は〜約５％の１種類又は２種類以上の溶媒を含み得るが、ただし、このシリコーンエマルションは、溶媒と界面活性剤を合わせると、シリコーンの重量に対して、約５０％未満、約４５％未満、約４０％未満、約３５％未満、約３２％未満が含まれ得る。シリコーンエマルションは、シリコーンの重量に対して、約１％〜約５％又は約２％〜約５％の１種類又は２種類以上の溶媒を含み得る。
【００９２】
溶媒は、モノアルコール、ポリアルコール、モノアルコールのエーテル、ポリアルコールのエーテル又はこれらの混合物から選択することができる。典型的には、溶媒は、約６〜約１４の範囲の親水性−親油性バランス（ＨＬＢ）を有する。より典型的には、溶媒のＨＬＢは、約８〜約１２の範囲であり、最も典型的には約１１である。１種類の溶媒を単独で使用してもよく、２種類又は３種類以上の溶媒を組み合わせて使用してもよい。溶媒は、グリコールエーテル、アルキルエーテル、アルコール、アルデヒド、ケトン、エステル又はこれらの混合物を含み得る。溶媒は、４〜１２個の炭素原子を有するアルキル基を含むモノエチレングリコールモノアルキルエーテル、４〜１２個の炭素原子を有するアルキル基を含むジエチレングリコールモノアルキルエーテル又はこれらの混合物から選択され得る。
【００９３】
本開示のシリコーンエマルションは、シリコーンの重量に対して、約１％〜約４０％、〜約３０％、〜約２５％又は〜約２０％の１種類又は２種類以上の界面活性剤を含み得るが、ただし、界面活性剤と溶媒を足し合わせた重量は、シリコーンの重量に対して、約５０％未満、約４５％未満、約４０％未満、約３５％未満、約３２％未満である。シリコーンエマルションは、シリコーンの重量に対して、約５％〜約２０％又は約１０％〜約２０％の１種類又は２種類以上の界面活性剤を含み得る。界面活性剤は、アニオン性界面活性剤、非イオン性界面活性剤、カチオン性界面活性剤、双極性イオン界面活性剤、両性界面活性剤、両性電解質界面活性剤又はこれらの混合物から選択することができるが、好ましくは非イオン性界面活性剤である。界面活性剤、特に非イオン性界面活性剤は、シリコーン流体化合物及び溶媒の水中での均一な分散を促進すると考えられている。
【００９４】
本明細書において有用な好適な非イオン性界面活性剤は、任意の従来の非イオン性界面活性剤を含むことができる。典型的には、使用される非イオン性界面活性剤の総ＨＬＢ（親水性親油性バランス）は、約８〜１６の範囲、より典型的には１０〜１５の範囲である。好適な非イオン性界面活性剤は、ポリオキシアルキレンアルキルエーテル、ポリオキシアルキレンアルキルフェノールエーテル、アルキルポリグルコシド、ポリビニルアルコール及びグルコースアミド界面活性剤から選択することができる。特に好ましいものは、二級アルキルポリオキシアルキレンアルキルエーテルである。好適な非イオン性界面活性剤の例には、Ｃ１１〜１５二級アルキルエトキシレート、例えば、Ｄｏｗ  Ｃｈｅｍｉｃａｌ  Ｃｏｍｐａｎｙ（Ｍｉｄｌａｎｄ  Ｍｉｃｈｉｇａｎ）から商標名Ｔｅｒｇｉｔｏｌ  １５−Ｓ−５、Ｔｅｒｇｉｔｏｌ  １５−Ｓ−１２で販売されているもの、又はＢＡＳＦ，ＡＧ（Ｌｕｄｗｉｇｓｃｈａｅｆｅｎ，Ｇｅｒｍａｎｙ）から商標名Ｌｕｔｅｎｓｏｌ  ＸＬ−１００及びＬｕｔｅｎｓｏｌ  ＸＬ−５０で販売されているものが挙げられる。他の好ましい非イオン性界面活性剤には、Ｃ１２〜Ｃ１８アルキルエトキシレート、例えばＳｈｅｌｌ製のＮＥＯＤＯＬ（登録商標）非イオン性界面活性剤、例えば、ＮＥＯＤＯＬ（登録商標）２３−５及びＮＥＯＤＯＬ（登録商標）２６−９が挙げられる。分岐状ポリオキシアルキレンアルキルエーテルの例としては、アルキル鎖上に１つ又は２つ以上の分岐を有するものが挙げられ、例えば、Ｄｏｗ  Ｃｈｅｍｉｃａｌｓ（Ｍｉｄｌａｎｄ，ＭＩ）から商標名Ｔｅｒｇｉｔｏｌ  ＴＭＮ−６及びＴｅｒｇｉｏｔｏｌ  ＴＭＮ−３として入手可能なものなどである。他の好ましい界面活性剤は、米国特許第７，６８３，１１９号に列挙されている。
【００９５】
本開示のシリコーンエマルションは、約０．０１％〜約２％、約０．１％〜約１．５％、約０．２％〜約１％、又は約０．５％〜約０．７５％のプロトン化剤を含み得る。プロトン化剤は、概して、一塩基酸又は多塩基酸の、水溶性又は水不溶性、有機酸又は無機酸である。好適なプロトン化剤には、例えば、ギ酸、酢酸、プロピオン酸、マロン酸、クエン酸、塩酸、硫酸、リン酸、硝酸又はこれらの混合物が挙げられるが、好ましくは酢酸である。概して、酸は、酸性水溶液の形態で添加される。プロトン化剤は、通常、エマルションのｐＨを約３．５〜約７．０にするのに必要な量で添加される。
【００９６】
界面活性剤系
本開示の組成物は、界面活性剤系を含む。界面活性剤系は、洗浄効果をもたらすことが知られている。しかしながら、特定の界面活性剤系を慎重に選択すると、特定の沈着ポリマーとシリコーンと組み合わせて使用したとき、感触及び／又は付着の効果も得ることができることが判明した。
【００９７】
通常、本開示の洗剤組成物は、所望の洗浄特性をもたらすのに十分な量の界面活性剤系を含む。洗剤組成物は、組成物の重量に対して、約１％〜約７０％の界面活性剤系を含み得る。洗浄組成物は、組成物の重量に対して、約２％〜約６０％の界面活性剤系を含み得る。洗浄組成物は、組成物の重量に対して、約５％〜約３０％の界面活性剤系を含み得る。洗浄組成物は、組成物の重量に対して、約２０％〜約６０％、又は約３５％〜約５０％の界面活性剤系を含み得る。
【００９８】
界面活性剤系は、アニオン性界面活性剤、非イオン性界面活性剤、カチオン性界面活性剤、双極性イオン界面活性剤、両性界面活性剤、両性電解質界面活性剤、及びその混合物から選択される洗浄性界面活性剤を含んでもよい。当業者であれば、洗浄性界面活性剤は、汚れた布地に洗浄、染み除去、又は洗濯効果をもたらす、任意の界面活性剤又は界面活性剤混合物を包含することを理解するであろう。本明細書で使用するとき、脂肪酸類及びこれらの塩類は、界面活性剤系の一部であると理解される。
【００９９】
アニオン性界面活性剤／非イオン性界面活性剤の組み合わせ
界面活性剤系は、通常、アニオン性界面活性剤と非イオン性界面活性剤とをある重量比で含む。アニオン性界面活性剤と非イオン性界面活性剤の重量比を慎重に選択することにより、所望の水準の感触及び洗浄の効果を提供しやすくし得る。
【０１００】
アニオン性界面活性剤の非イオン性界面活性剤に対する重量比は、約１．１：１〜約４：１、約１．１：１〜約２．５：１若しくは約１．５：１〜約２．５：１、又は約２：１であってもよい。アニオン性界面活性剤及び非イオン性界面活性剤について、以下により詳細に記載する。
【０１０１】
アニオン性界面活性剤
界面活性剤系は、アニオン性界面活性剤を含んでもよい。洗浄組成物の界面活性剤系は、界面活性剤系の重量に対して、約１％〜約７０％の１種類又は２種類以上のアニオン性界面活性剤を含み得る。洗浄組成物の界面活性剤系は、界面活性剤系の重量に対して、約２％〜約６０％の１種類又は２種類以上のアニオン性界面活性剤を含み得る。洗浄組成物の界面活性剤系は、界面活性剤系の重量に対して、約５％〜約３０％の１種類又は２種類以上のアニオン性界面活性剤を含み得る。好適なアニオン性界面活性剤の具体的な非限定例には、任意の従来のアニオン性界面活性剤が挙げられる。これには、硫酸系洗浄性界面活性剤、例えば、アルコキシル化及び／若しくは非アルコキシル化アルキルサルフェート物質、並びに／又はスルホン酸系洗浄性界面活性剤、例えば、アルキルベンゼンスルホン酸塩を挙げることができる。いくつかの態様では、界面活性剤系のアニオン性界面活性剤は、スルホン酸系洗浄性界面活性剤及び硫酸系洗浄性界面活性剤、好ましくは直鎖アルキルベンゼンスルホン酸塩（ＬＡＳ）及びアルキルエトキシル化サルフェート（ＡＥＳ）をある重量比で含む。スルホン酸系洗浄性界面活性剤（例えばＬＡＳ）の硫酸系洗浄性界面活性剤（例えばＡＥＳ）に対する重量比は、約１：９〜約９：１、約１：６〜約６：１、約１：４〜約４：１若しくは約１：２〜約２：１、又は約１：１であってもよい。スルホン酸系洗浄性界面活性剤（例えばＬＡＳ）の硫酸系洗浄性界面活性剤（例えばＡＥＳ）に対する重量比は、約１：９、約１：６、約１：４、約１：２〜約１：１までである。ＬＡＳの濃度と比較してＡＥＳの濃度を上げると、シリコーン付着の改善が促進され得る。
【０１０２】
アルコキシル化アルキルサルフェート物質には、アルキルエーテルサルフェート又はアルキルポリエトキシレートサルフェートとしても知られるエトキシル化アルキルサルフェート界面活性剤を挙げることができる。エトキシル化アルキルサルフェートの例としては、水溶性塩、特にその分子構造中に、約８〜約３０個の炭素原子を含有するアルキル基並びにスルホン酸及びその塩を有する有機イオウ反応生成物のアルカリ金属塩、アンモニウム塩及びアルキロールアンモニウム塩が挙げられる。用語「アルキル」には、アシル基のアルキル部分が含まれる。アルキル基は、約１５個の炭素原子〜約３０個の炭素原子を含有し得る。アルキルエーテルサルフェート界面活性剤は、アルキルエーテルサルフェートの混合物であってもよく、前記混合物は、約１２〜３０個の炭素原子の範囲内である平均（相加平均）炭素鎖長を有し、かつ／又は約２５個の炭素原子の平均炭素鎖長であり、エチレンオキシド約１モル〜４モルの平均（相加平均）エトキシル化度であり、かつ／又はエチレンオキシド１．８モルの平均（相加平均）エトキシル化度である。アルキルエーテルサルフェート界面活性剤は、約１０個の炭素原子〜約１８個の炭素原子の炭素鎖長、及びエチレンオキシド約１〜約６モルのエトキシル化度を有し得る。
【０１０３】
非エトキシル化アルキルサルフェートもまた、本開示の洗浄組成物に添加し、アニオン性界面活性剤構成成分として使用してもよい。非アルコキシル化、例えば非エトキシル化アルキルサルフェート界面活性剤の例としては、高級Ｃ８〜Ｃ２０脂肪アルコールのサルフェート化により生成されるものが挙げられる。一級アルキルサルフェート界面活性剤は、一般式：ＲＯＳＯ３−Ｍ＋を有し得、式中、Ｒは、直鎖又は分岐鎖であってもよい、一般に直鎖Ｃ８〜Ｃ２０ヒドロカルビル基であり、Ｍは、水溶性化カチオンである。一部の例では、Ｒは、Ｃ１０〜Ｃ１５アルキルであり、Ｍは、アルカリ金属である。他の例では、Ｒは、Ｃ１２〜Ｃ１４アルキルであり、Ｍは、ナトリウムである。
【０１０４】
他の有用なアニオン性界面活性剤は、アルキル基が約９〜約１５個の炭素原子を直鎖状（線状）又は分岐鎖状の配置で含有するアルキルベンゼンスルホネートのアルカリ金属塩、例えば米国特許第２，２２０，０９９号及び同第２，４７７，３８３号に記載されている種類のものを含むことができる。アルキル基は直鎖であってもよい。このような直鎖アルキルベンゼンスルホン酸塩は、「ＬＡＳ」として知られている。直鎖アルキルベンゼンスルホン酸塩は、アルキル基中の平均炭素原子数が約１１〜１４であり得る。線状直鎖アルキルベンゼンスルホン酸塩は、アルキル基中の平均炭素原子数が約１１．８個の炭素原子であり得、Ｃ１１．８  ＬＡＳと略すことがある。このような界面活性剤類及びそれらの調製は、例えば、米国特許第２，２２０，０９９号及び同第２，４７７，３８３号に記載されている。
【０１０５】
本明細書で有用な他のアニオン性界面活性剤は、約８〜約２４（いくつかの例では約１２〜１８）個の炭素原子を含有するパラフィンスルホネート及び二級アルカンスルホネート；アルキルグリセリルエーテルスルホネート、特にＣ８〜１８アルコールのエーテル（例えば、タロー及びココヤシ油に由来するもの）の水溶性塩である。アルキルベンゼンスルホネートと上述のパラフィンスルホネート、二級アルカンスルホネート及びアルキルグリセリルエーテルスルホネートとの混合物も有用である。本明細書で有用な、更に好適なアニオン性界面活性剤は、米国特許第４，２８５，８４１号（Ｂａｒｒａｔ  ｅｔ  ａｌ．、１９８１年８月２５日公開）、及び米国特許第３，９１９，６７８号（Ｌａｕｇｈｌｉｎ  ｅｔ  ａｌ．、１９７５年１２月３０日公開）に見出だすことができ、これらの両方は参照により本明細書に組み込まれる。
【０１０６】
脂肪酸
本明細書で有用な他のアニオン性界面活性剤には、脂肪酸類及び／又はそれらの塩類を挙げることができる。したがって、洗剤組成物は、脂肪酸及び／又はその塩を含み得る。理論に束縛されるものではないが、本組成物中にて、脂肪酸類及び／又はそれらの塩類は、ビルダーとして作用するか、かつ／又は布地柔軟性に寄与するものと考えられる。しかしながら、脂肪酸は、本組成物中に必要ではなく、脂肪酸濃度を抑えること又は更に完全に脂肪酸を除くことは、加工、費用及び安定性の利点となり得る。
【０１０７】
組成物は、約０．１重量％、約０．５重量％又は約１重量％から、約４０重量％、約３０重量％、約２０重量％、約１０重量％、約８重量％、約５重量％、約４重量％、又は約３．５重量％の脂肪酸又はその塩を含み得る。洗剤組成物は、脂肪酸類及びそれらの塩類を実質的に含まない（又は０％含む）。
【０１０８】
好適な脂肪酸及び塩には、式Ｒ１ＣＯＯＭを有するものが挙げられ、式中、Ｒ１は、４〜３０個の炭素原子を有する一級又は二級アルキル基であり、Ｍは、水素カチオン又は別の可溶化カチオンである。酸形態の場合、Ｍは、水素カチオンであり、塩形態の場合、Ｍは、水素でない可溶化カチオンである。酸（すなわち、Ｍが水素カチオンである場合）は好適であるものの、カチオン性ポリマーとの親和力がより大きいことから、通常、塩が好ましい。したがって、脂肪酸又は塩は、脂肪酸又は塩のｐＫａが非水性液体組成物のｐＨを下回るように選択され得る。組成物は、６〜１０．５、又は６．５〜９、又は７〜８のｐＨを有し得る。
【０１０９】
Ｒ１で表されるアルキル基は、複数の鎖長の組み合わせを表し得、また、飽和でも不飽和でもよいが、少なくともＲ１基の３分の２が炭素原子８〜１８個の鎖長を有するのが好ましい。好適なアルキル基源の非限定的な例としては、ココヤシ油、タロー、トール油、菜種由来油、オレイン酸、脂肪族アルキルコハク酸、パーム核油及びこれらの混合物に由来する脂肪酸が挙げられる。しかしながら、匂いを最小限に抑えるために、多くの場合、一級飽和カルボン酸の使用が望ましい。
【０１１０】
可溶化カチオンＭ（Ｍが水素カチオンでない場合）は、製品への水溶性を付与する任意のカチオンであってよいが、一価部分が通常好ましい。本開示で使用するのに好適な可溶化カチオンの例には、ナトリウム及びカリウムなどのアルカリ金属（これらは特に好ましい）、モノエタノールアミン、トリエタノールアンモニウム、アンモニウム及びモルホリニウムなどのアミンが挙げられる。脂肪酸を用いる場合、その大部分を中和された塩形態で組成物に組み込まなければならないが、多くの場合、組成物中に、ある量の遊離脂肪酸を残すのが好ましい。これは、特に、組成物の含水量が低くなったとき（例えば２０％未満）、組成物の粘度の維持に役立ち得る。
【０１１１】
分岐界面活性剤
アニオン性界面活性剤は、アニオン性分岐界面活性剤を含み得る。好適なアニオン性分岐界面活性剤は、分岐状硫酸系又は分岐状スルホン酸系界面活性剤、例えば、１つ又は２つ以上のランダムアルキル分岐鎖、例えば、Ｃ１〜４アルキル基（通常はメチル基及び／又はエチル基）を含む、分岐状アルキルサルフェート、分岐状アルキルアルコキシル化サルフェート及び分岐状アルキルベンゼンスルホネートから選択することができる。
【０１１２】
分岐状洗浄性界面活性剤は、中鎖分岐状洗浄性界面活性剤、通常は中鎖分岐状アニオン性洗浄界面活性剤、例えば、中鎖分岐状アルキルサルフェート及び／又は中鎖分岐状アルキルベンゼンスルホネートであってもよい。洗浄性界面活性剤は、中鎖分岐状アルキルサルフェートである。中鎖分枝は、Ｃ１〜４アルキル基、通常は、メチル基及び／又はエチル基である。
【０１１３】
分岐界面活性剤は、アルキル鎖がより長い、次式の中鎖分岐界面活性剤化合物を含む。
Ａｂ−Ｘ−Ｂ
式中、
（ａ）Ａｂは、疎水性のＣ９〜Ｃ２２（この部分の炭素の合計）、通常、約Ｃ１２〜約Ｃ１８の中鎖分岐状アルキル部分であり、（１）８〜２１個の炭素原子の範囲内の、−Ｘ−Ｂ部分に結合した最長直鎖炭素鎖と、（２）この最長直鎖炭素鎖から分枝している１つ又は２つ以上のＣ１〜Ｃ３アルキル部分と、を有し、（３）分枝状アルキル部分の少なくとも１つは、−Ｘ−Ｂ部分に結合している１番の炭素から数えて位置２の炭素から、末端炭素から２個の炭素を引いた位置ω−２炭素（すなわち最長直鎖炭素鎖の末端から３番目の炭素）までの範囲内の位置で最長直鎖炭素鎖の炭素に直接結合し、（４）界面活性剤組成物は、上の式中のＡｂ−Ｘ部分における炭素原子の平均総数が１４．５超〜約１７．５（通常約１５〜約１７）の範囲内であり、
ｂ）Ｂは、サルフェート、スルホネート、アミンオキシド、ポリオキシアルキレン（ポリオキシエチレン及びポリオキシプロピレンなど）、アルコキシル化サルフェート、ポリヒドロキシ部分、リン酸エステル、グリセロールスルホネート、ポリグルコネート、ポリリン酸エステル、ホスホネート、スルホスクシネート、スルホサッカミネート、ポリアルコキシル化カルボキシレート、グルカミド、タウリネート、サルコシネート、グリシネート、イセチオネート、ジアルカノールアミド、モノアルカノールアミド、モノアルカノールアミドサルフェート、ジグリコールアミド、ジグリコールアミドサルフェート、グリセロールエステル、グリセロールエステルサルフェート、グリセロールエーテル、グリセロールエーテルサルフェート、ポリグリセロールエーテル、ポリグリセロールエーテルサルフェート、ソルビタンエステル、ポリアルコキシル化ソルビタンエステル、アンモニオアルカンスルホネート、アミドプロピルベタイン、アルキル化四級化合物、アルキル化／ポリヒドロキシアルキル化オキシプロピル四級化合物、アルキル化／ポリヒドロキシル化四級化合物、イミダゾリン、２−イル−スクシネート、スルホン化アルキルエステル及びスルホン化脂肪酸から選択される親水性部分であり（例えば（Ａｂ−Ｘ）ｚ−Ｂにおいて、２以上の疎水性部分がＢに結合してジメチル四級化合物を与え得ることに留意されたい）、
（ｃ）Ｘは、−ＣＨ２−及び−Ｃ（Ｏ）−から選択される。
【０１１４】
一般に、上記の式において、Ａｂ部分は、いずれの第四級置換炭素原子（すなわち、１つの炭素原子に直接結合している４つの炭素原子）も有さない。得られる界面活性剤は、どの親水性部分（Ｂ）を選択するかに応じて、アニオン性、非イオン性、陽イオン性、双極イオン性、両性、又は両性電解質であってもよい。いくつかの態様では、Ｂは、サルフェートであり、得られる界面活性剤はアニオン性である。
【０１１５】
分岐界面活性剤は、より長いアルキル鎖の上式の中鎖分岐界面活性剤化合物を含み得、式中、Ａｂ部分は、次式を有する分岐状一級アルキル部分であり、
【０１１６】
【化１４】
2019049002.tif 000016
この式の分岐状一級アルキル部分中の炭素原子の総数は（Ｒ、Ｒ１及びＲ２分岐を含む）、１３〜１９であり、Ｒ、Ｒ１及びＲ２は、それぞれ独立して、水素及びＣ１〜Ｃ３アルキル（通常メチル）から選択され、ただし、Ｒ、Ｒ１及びＲ２は、全てが水素ではなく、ｚが０であるとき、少なくともＲ又はＲ１は、水素ではなく、ｗは、０〜１３の整数であり、ｘは、０〜１３の整数であり、ｙは、０〜１３の整数であり、ｚは、０〜１３の整数であり、ｗ＋ｘ＋ｙ＋ｚは、７〜１３である。
【０１１７】
分岐界面活性剤は、より長いアルキル鎖の上式の中鎖分岐界面活性剤化合物を含み得、式中、Ａｂ部分は、
【０１１８】
【化１５】
2019049002.tif 000017
又はこれらの組み合わせから選択される式を有する分枝状一級アルキル部分であり、式中、ａ、ｂ、ｄ及びｅは、整数であり、ａ＋ｂは、１０〜１６であり、ｄ＋ｅは、８〜１４であり、更に、
ａ＋ｂ＝１０の場合、ａは、２〜９の整数であり、ｂは、１〜８の整数であり、
ａ＋ｂ＝１１の場合、ａは、２〜１０の整数であり、ｂは、１〜９の整数であり、
ａ＋ｂ＝１２の場合、ａは、２〜１１の整数であり、ｂは、１〜１０の整数であり、
ａ＋ｂ＝１３の場合、ａは、２〜１２の整数であり、ｂは、１〜１１の整数であり、
ａ＋ｂ＝１４の場合、ａは、２〜１３の整数であり、ｂは、１〜１２の整数であり、
ａ＋ｂ＝１５の場合、ａは、２〜１４の整数であり、ｂは、１〜１３の整数であり、
ａ＋ｂ＝１６の場合、ａは、２〜１５の整数であり、ｂは、１〜１４の整数であり、
ｄ＋ｅ＝８の場合、ｄは、２〜７の整数であり、ｅは、１〜６の整数であり、
ｄ＋ｅ＝９の場合、ｄは、２〜８の整数であり、ｅは、１〜７の整数であり、
ｄ＋ｅ＝１０の場合、ｄは、２〜９の整数であり、ｅは、１〜８の整数であり、
ｄ＋ｅ＝１１の場合、ｄは、２〜１０の整数であり、ｅは、１〜９の整数であり、
ｄ＋ｅ＝１２の場合、ｄは、２〜１１の整数であり、ｅは、１〜１０の整数であり、
ｄ＋ｅ＝１３の場合、ｄは、２〜１２の整数であり、ｅは、１〜１１の整数であり、
ｄ＋ｅ＝１４の場合、ｄは、２〜１３の整数であり、ｅは、１〜１２の整数である。
【０１１９】
上述の中鎖分岐界面活性剤化合物において、特定の分岐点（例えば、上記式中のＲ、Ｒ１及び／又はＲ２部分の鎖に沿った位置）が、界面活性剤の主鎖に沿った他の分岐点よりも好ましい。以下の式は、モノ−メチル分岐状アルキルＡｂ部分に関して、中鎖分岐範囲（すなわち、分岐点が生じる場所）、好ましい中鎖分岐範囲、及びより好ましい中鎖分岐範囲を示す。
【０１２０】
【化１６】
2019049002.tif 000018
【０１２１】
モノ−メチル置換界面活性剤では、これらの範囲からは、鎖の２つの末端炭素原子及び−Ｘ−Ｂ基に直接隣接した炭素原子が除外される。
【０１２２】
以下の式は、ジメチル置換直鎖アルキルＡｂ部分の中鎖分岐範囲、好ましい中鎖分岐範囲、及びより好ましい中鎖分岐範囲を示す。
【０１２３】
【化１７】
2019049002.tif 000019
【０１２４】
追加の好適な分岐界面活性剤は、米国特許第６００８１８１号、同第６０６０４４３号、同第６０２０３０３号、同第６１５３５７７号、同第６０９３８５６号、同第６０１５７８１号、同第６１３３２２２号、同第６３２６３４８号、同第６４８２７８９号、同第６６７７２８９号、同第６９０３０５９号、同第６６６０７１１号、同第６３３５３１２号、及び国際公開第９９１８９２９号に開示されている。更に他の好適な分岐界面活性剤は、国際公開第９７３８９５６号、同第９７３８９５７号、及び同第０１０２４５１号に記載されているものを含む。
【０１２５】
分岐状アニオン性界面活性剤は、国際公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号及び同第００／２３５４８号に記載されているような分岐変性アルキルベンゼンスルホン酸塩（ＭＬＡＳ）を含み得る。
【０１２６】
分岐状アニオン性界面活性剤は、疎水性鎖に沿ってランダムに分布したメチル分岐鎖を含む、Ｃ１２／１３アルコール系界面活性剤、例えば、Ｓａｓｏｌから入手可能なＳａｆｏｌ（登録商標）、Ｍａｒｌｉｐａｌ（登録商標）を含む。
【０１２７】
更に好適な分岐状アニオン性洗浄界面活性剤には、２−アルキル位置で分岐したアルコールに由来する界面活性剤、例えば、商標名Ｉｓａｌｃｈｅｍ（登録商標）１２３、Ｉｓａｌｃｈｅｍ（登録商標）１２５、Ｉｓａｌｃｈｅｍ（登録商標）１４５、Ｉｓａｌｃｈｅｍ（登録商標）１６７（いずれもオキソ法誘導）にて販売されているものなどが挙げられる。オキソ法によるために、分岐は、２−アルキル位置に位置している。これらの２−アルキル分岐状アルコールは、典型的には、Ｃ１１〜Ｃ１４／Ｃ１５の範囲の長さであり、２−アルキル位置で全て分岐する構造異性体が含まれる。これらの分岐アルコール及び界面活性剤は、米国特許出願公開第２０１１００３３４１３号に記載されている。
【０１２８】
他の好適な分岐界面活性剤には、米国特許第６０３７３１３号（Ｐ＆Ｇ）、国際公開第９５２１２３３号（Ｐ＆Ｇ）、米国特許第３４８０５５６号（Ａｔｌａｎｔｉｃ  Ｒｉｃｈｆｉｅｌｄ）、米国特許第６６８３２２４号（Ｃｏｇｎｉｓ）、米国特許出願公開第２００３０２２５３０４（Ａ１）号（Ｋａｏ）、米国特許出願公開第２００４２３６１５８（Ａ１）号（Ｒ＆Ｈ）、米国特許第６８１８７００号（Ａｔｏｆｉｎａ）、米国特許出願公開第２００４１５４６４０号（Ｓｍｉｔｈ  ｅｔ  ａｌ．）、欧州特許第１２８０７４６号（Ｓｈｅｌｌ）、欧州特許第１０２５８３９号（Ｌ’Ｏｒｅａｌ）、米国特許第６７６５１１９号（ＢＡＳＦ）、欧州特許第１０８００８４号（Ｄｏｗ）、米国特許第６７２３８６７号（Ｃｏｇｎｉｓ）、欧州特許第１４０１７９２（Ａ１）号（Ｓｈｅｌｌ）、欧州特許第１４０１７９７（Ａ２）号（Ｄｅｇｕｓｓａ  ＡＧ）、米国特許出願公開第２００４０４８７６６号（Ｒａｔｈｓ  ｅｔ  ａｌ．）、米国特許第６５９６６７５号（Ｌ’Ｏｒｅａｌ）、欧州特許第１１３６４７１号（Ｋａｏ）、欧州特許第９６１７６５号（Ａｌｂｅｍａｒｌｅ）、米国特許第６５８０００９号（ＢＡＳＦ）、米国特許出願公開第２００３１０５３５２号（Ｄａｄｏ  ｅｔ  ａｌ．）、米国特許第６５７３３４５号（Ｃｒｙｏｖａｃ）、独国特許第１０１５５５２０号（ＢＡＳＦ）、米国特許第６５３４６９１号（ｄｕ  Ｐｏｎｔ）、米国特許第６４０７２７９号（ＥｘｘｏｎＭｏｂｉｌ）、米国特許第５８３１１３４号（Ｐｅｒｏｘｉｄ−Ｃｈｅｍｉｅ）、米国特許第５８１１６１７号（Ａｍｏｃｏ）、米国特許第５４６３１４３号（Ｓｈｅｌｌ）、米国特許第５３０４６７５号（Ｍｏｂｉｌ）、米国特許第５２２７５４４号（ＢＡＳＦ）、米国特許第５４４６２１３（Ａ）号（ＭＩＴＳＵＢＩＳＨＩ  ＫＡＳＥＩ  ＣＯＲＰＯＲＡＴＩＯＮ）、欧州特許第１２３０２００（Ａ２）号（ＢＡＳＦ）、欧州特許第１１５９２３７（Ｂ１）号（ＢＡＳＦ）、米国特許出願公開第２００４０００６２５０（Ａ１）号（ＮＯＮＥ）、欧州特許第１２３０２００（Ｂ１）号（ＢＡＳＦ）、国際公開第２００４０１４８２６（Ａ１）号（ＳＨＥＬＬ）、米国特許第６７０３５３５（Ｂ２）号（ＣＨＥＶＲＯＮ）、欧州特許第１１４０７４１（Ｂ１）号（ＢＡＳＦ）、国際公開第２００３０９５４０２（Ａ１）号（ＯＸＥＮＯ）、米国特許第６７６５１０６（Ｂ２）号（ＳＨＥＬＬ）、米国特許出願公開第２００４０１６７３５５（Ａ１）号（ＮＯＮＥ）、米国特許第６７０００２７（Ｂ１）号（ＣＨＥＶＲＯＮ）、米国特許出願公開第２００４０２４２９４６（Ａ１）号（ＮＯＮＥ）、国際公開第２００５０３７７５１（Ａ２）（ＳＨＥＬＬ）、国際公開第２００５０３７７５２（Ａ１）号（ＳＨＥＬＬ）、米国特許第６９０６２３０（Ｂ１）号（ＢＡＳＦ）、国際公開第２００５０３７７４７（Ａ２）号（ＳＨＥＬＬ）ＯＩＬ  ＣＯＭＰＡＮＹに記載のものを挙げることができる。
【０１２９】
更なる好適な分岐状アニオン性洗浄界面活性剤には、米国特許出願公開第２０１０／０１３７６４９号に記載されているようなイソプレノイド系多分岐状洗剤アルコールの界面活性剤誘導体を挙げることができる。またイソプレノイド系界面活性剤及びイソプレノイド誘導体は、本の名称「Ｃｏｍｐｒｅｈｅｎｓｉｖｅ  Ｎａｔｕｒａｌ  Ｐｒｏｄｕｃｔｓ  Ｃｈｅｍｉｓｔｒｙ：Ｉｓｏｐｒｅｎｏｉｄｓ  Ｉｎｃｌｕｄｉｎｇ  Ｃａｒｏｔｅｎｏｉｄｓ  ａｎｄ  Ｓｔｅｒｏｉｄｓ（第２巻）」、Ｂａｒｔｏｎ及びＮａｋａｎｉｓｈｉ、（著作権）１９９９、Ｅｌｓｅｖｉｅｒ  Ｓｃｉｅｎｃｅ  Ｌｔｄに記載され、構造Ｅに含まれ、参照により本明細書に組み込まれる。
【０１３０】
更に好適な分岐状アニオン性洗浄界面活性剤には、アンテイソ及びイソアルコールに由来するものを挙げることができる。そのような界面活性剤は、国際公開第２０１２００９５２５号に開示されている。
【０１３１】
更なる好適な分岐状アニオン性洗浄界面活性剤には、米国特許出願第２０１１／０１７１１５５（Ａ１）号及び同第２０１１／０１６６３７０（Ａ１）号に記載のものを挙げることができる。
【０１３２】
好適な分岐状アニオン性界面活性剤にはまた、Ｇｕｅｒｂｅｔアルコール系界面活性剤も含まれ得る。Ｇｕｅｒｂｅｔアルコールは、２つの線状炭素鎖を有し、分岐点が必ず２番目の炭素位置にある分岐一級単官能性アルコールである。Ｇｕｅｒｂｅｔアルコールは、化学的に記述すると、２−アルキル−１−アルカノールである。Ｇｕｅｒｂｅｔアルコールは、一般に、１２個の炭素原子〜３６個の炭素原子を有する。Ｇｕｅｒｂｅｔアルコールは、次式：（Ｒ１）（Ｒ２）ＣＨＣＨ２ＯＨにより表すことができ、式中、Ｒ１は、直鎖アルキル基であり、Ｒ２は、直鎖アルキル基であり、Ｒ１及びＲ２中の炭素原子の合計は、１０〜３４であり、Ｒ１及びＲ２の両方が存在する。Ｇｕｅｒｂｅｔアルコールは、ＳａｓｏｌからＩｓｏｆｏｌ（登録商標）アルコールとして販売され、ＣｏｇｎｉｓからＧｕｅｒｂｅｔｏｌとして販売されている。
【０１３３】
本明細書に開示される界面活性剤系は、上述の分岐界面活性剤の任意のものを独立に含んでもよく、あるいは、界面活性剤系は、上述の分岐界面活性剤の混合物を含んでもよい。更に、上述の分岐界面活性剤それぞれが、バイオベース含有成分を含み得る。いくつかの態様において、分岐界面活性剤は、少なくとも約５０％、少なくとも約６０％、少なくとも約７０％、少なくとも約８０％、少なくとも約９０％、少なくとも約９５％、少なくとも約９７％、又は約１００％のバイオベース含有成分を有する。
【０１３４】
非イオン性界面活性剤
洗浄組成物の界面活性剤系は、非イオン性界面活性剤を含み得る。界面活性剤系は、界面活性剤系の重量に対して、最大約５０％の１種類又は２種類以上の非イオン性界面活性剤を、例えば補助界面活性剤として含み得る。界面活性剤系は、界面活性剤系の重量に対して、約５％〜約５０％、約１０％〜約５０％、又は約２０％〜約５０％の非イオン性界面活性剤を含み得る。
【０１３５】
本明細書で有用な、好適な非イオン性界面活性剤は、任意の従来の非イオン性界面活性剤を含んでもよい。これらには、例えば、アルコキシル化脂肪族アルコール、及びアミンオキシド界面活性剤が含まれ得る。いくつかの例では、クリーニング組成物は、エトキシル化非イオン性界面活性剤を含有してもよい。これらの材料は、米国特許第４，２８５，８４１号（Ｂａｒｒａｔ  ｅｔ  ａｌ．、１９８１年８月２５日公開）に記載されている。非イオン性界面活性剤は、式Ｒ（ＯＣ２Ｈ４）ｎＯＨのエトキシル化アルコール及びエトキシル化アルキルフェノールから選択することができ、式中、Ｒは、約８個〜約１５個の炭素原子を含有する脂肪族炭化水素ラジカル及びアルキル基が約８個〜約１２個の炭素原子を含有するアルキルフェニルラジカルからなる群から選択され、ｎの平均値は、約５〜約１５である。これらの界面活性剤は、米国特許第４，２８４，５３２号（Ｌｅｉｋｈｉｍ  ｅｔ  ａｌ．、１９８１年８月１８日公開）中でより充分に説明される。例えば、非イオン性界面活性剤は、平均約２４個の炭素原子をアルコール内に有し、かつ平均エトキシル化度がアルコール１モル当たり約９モルのエチレンオキシドであるエトキシ化アルコールから選択され得る。
【０１３６】
本明細書で有用な非イオン性界面活性剤の他の非限定的な例としては、Ｃ１２〜Ｃ１８アルキルエトキシレート、例えばＳｈｅｌｌのＮＥＯＤＯＬ（登録商標）非イオン性界面活性剤；Ｃ６〜Ｃ１２アルキルフェノールアルコキシレート（ここで、アルコキシレート単位はエチレンオキシ単位とプロピレンオキシ単位が組み合わさったものである）；例えばＢＡＳＦのＰｌｕｒｏｎｉｃ（登録商標）などのエチレンオキシド／プロピレンオキシドブロックポリマーとのＣ１２〜Ｃ１８アルコール縮合物及びＣ６〜Ｃ１２アルキルフェノール縮合物；米国特許第６，１５０，３２２号において議論されるようなＣ１４〜Ｃ２２中鎖分岐状アルコール（ＢＡ）；米国特許第６，１５３，５７７号、同第６，０２０，３０３号及び同第６，０９３，８５６号において議論されているようなＣ１４〜Ｃ２２中鎖分岐状アルキルアルコキシレートであるＢＡＥｘ（式中ｘは１〜３０）；米国特許第４，５６５，６４７号（Ｌｌｅｎａｄｏ、１９８６年１月２６日公開）で議論されているようなアルキル多糖；特に、米国特許第４，４８３，７８０号及び同第４，４８３，７７９号で議論されているようなアルキルポリグリコシド；米国特許第５，３３２，５２８号、国際公開第９２／０６１６２号、同第９３／１９１４６号、同第９３／１９０３８号、及び同第９４／０９０９９号で議論されているようなポリヒドロキシ脂肪酸アミド；並びに米国特許第６，４８２，９９４号及び国際公開第０１／４２４０８号において議論されているようなエーテル末端保護ポリ（オキシアルキル化）アルコール界面活性剤が挙げられる。
【０１３７】
カチオン性界面活性剤
界面活性剤系は、カチオン性界面活性剤を含んでもよい。界面活性剤系は、界面活性剤系の重量に対して、約０％〜約７％、約０．１％〜約５％、又は約１％〜約４％のカチオン性界面活性剤を、例えば補助界面活性剤として含み得る。カチオン性の非限定的な例には、最大２６個の炭素原子を有し得る四級アンモニウム界面活性剤が挙げられ、米国特許第６，１３６，７６９号において議論されているようなアルコキシレート四級アンモニウム（ＡＱＡ）界面活性剤、第６，００４，９２２号で議論されているようなジメチルヒドロキシエチル四級アンモニウム；ジメチルヒドロキシエチルラウリルアンモニウムクロリド；国際公開第９８／３５００２号、同第９８／３５００３号、同第９８／３５００４号、同第９８／３５００５号、及び同第９８／３５００６号で議論されるようなポリアミンカチオン性界面活性剤；米国特許第４，２２８，０４２号、同第４，２３９，６６０号、同第４，２６０，５２９号、及び米国特許第６，０２２，８４４号で議論されるようなカチオン性エステル界面活性剤；米国特許第６，２２１，８２５号及び国際公開第００／４７７０８号で議論されているようなアミノ界面活性剤、特にアミドプロピルジメチルアミン（ＡＰＡ）が挙げられる。
【０１３８】
本開示の洗浄組成物は、カチオン性界面活性剤及び／又はｐＨ７を下回る若しくはｐＨ６を下回るカチオン性の界面活性剤を実質的に含まない。
【０１３９】
双極性イオン界面活性剤
界面活性剤系は、双極性イオン界面活性剤を含んでもよい。双極性イオン界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。双極性イオン界面活性剤の例については、米国特許第３，９２９，６７８号の第１９段３８行目〜第２２段４８行目を参照されたいが、アルキルジメチルベタイン及びココジメチルアミドプロピルベタイン、Ｃ８〜Ｃ１８（例えばＣ１２〜Ｃ１８）アミンオキシド並びにスルホベタイン及びヒドロキシベタイン、例えば、Ｎ−アルキル−Ｎ，Ｎ−ジメチルアミノ−１−プロパンスルホネート（アルキル基はＣ８〜Ｃ１８、特定の実施形態ではＣ１０〜Ｃ１４であり得る）を含むベタインが挙げられる。
【０１４０】
両性電解質界面活性剤
界面活性剤系は、両性電解質界面活性剤を含んでもよい。両性電解質界面活性剤の具体的な非限定例としては、二級若しくは三級アミンの脂肪族誘導体、又は複素環式二級及び三級アミンの脂肪族誘導体が挙げられ、ここで、脂肪族ラジカルは、直鎖又は分岐鎖であってもよい。脂肪族置換基のうち１つは、少なくとも約８個の炭素原子、例えば約８個〜約１８個の炭素原子を含有してもよく、少なくとも１つは、水溶化アニオン基、例えば、カルボキシ基、スルホネート基、サルフェート基を含有する。両性電解質界面活性剤の好適な例については、米国特許第３，９２９，６７８号、１９段１８〜３５行を参照のこと。
【０１４１】
両性界面活性剤
界面活性剤系は、両性界面活性剤を含んでもよい。両性界面活性剤類の例としては、二級若しくは三級アミンの脂肪族誘導体、又は複素環式二級及び三級アミンの脂肪族誘導体が挙げられ、ここで、脂肪族ラジカルは、直鎖又は分岐鎖であってもよい。脂肪族置換基の１つは、少なくとも約８個の炭素原子、典型的には約８個〜約１８個の炭素原子を含有し、そして少なくとも１つが、アニオン性水溶化基、例えば、カルボキシ、スルホネート、サルフェートを含有する。この定義の範疇に入る化合物の例は、ナトリウム３−（ドデシルアミノ）プロピオネート、ナトリウム３−（ドデシルアミノ）プロパン−１−スルホネート、ナトリウム２−（ドデシルアミノ）エチルサルフェート、ナトリウム２−（ジメチルアミノ）オクタデカノエート、二ナトリウム３−（Ｎ−カルボキシメチルドデシルアミノ）プロパン１−スルホネート、二ナトリウムオクタデシル−イミノジアセテート、ナトリウム１−カルボキシメチル−２−ウンデシルイミダゾール、及び、ナトリウムＮ，Ｎ−ビス（２−ヒドロキシエチル）−２−スルファト−３−ドデコキシプロピルアミンである。両性界面活性剤の例には、米国特許第３，９２９，６７８号（Ｌａｕｇｈｌｉｎ  ｅｔ  ａｌ．、１９７５年１２月３０日公開）１９段１８〜３５行を参照されたい。いくつかの態様では、界面活性剤系は、両性界面活性剤を実質的に含まない。
【０１４２】
界面活性剤系は、アニオン性界面活性剤と、補助界面活性剤として、非イオン性界面活性剤（例えば、Ｃ１２〜Ｃ１８アルキルエトキシレート）と、を含み得る。界面活性剤系は、Ｃ１０〜Ｃ１５アルキルベンゼンスルホン酸塩（ＬＡＳ）と、補助界面活性剤として、アニオン性界面活性剤（例えば、Ｃ１０〜Ｃ１８アルキルアルコキシサルフェート（ＡＥｘＳ）、ｘは１〜３０である）と、を含み得る。界面活性剤系は、アニオン性界面活性剤と、補助界面活性剤として、カチオン性界面活性剤（例えば、ジメチルヒドロキシエチルラウリルアンモニウムクロリド）と、を含み得る。
【０１４３】
洗濯補助剤
本明細書に記載の洗濯洗剤組成物は、外部構造化系、酵素、香料マイクロカプセルなどのマイクロカプセル、防汚ポリマー、色調剤及びこれらの混合物を含めた他の洗濯補助剤を含み得る。
【０１４４】
外部構造化系
洗剤組成物が液体組成物である場合、洗剤組成物は、外部構造化系を含み得る。外部構造化系は、組成物に、例えば、好適な注入粘度、相安定性、及び／又は懸濁性をもたらすような十分な粘度をもたらすために、使用することができる。
【０１４５】
本開示の組成物は、０．０１重量％〜５重量％又は更に０．１重量％〜１重量％の外部構造化系を含み得る。外部構造化系は、
（ｉ）非高分子系結晶質のヒドロキシ官能性構造化剤及び／又は
（ｉｉ）高分子系構造化剤、からなる群から選択されてもよい。
【０１４６】
このような外部構造化系は、組成物の洗浄性界面活性剤の任意の構造化効果とは独立して、すなわちこのような効果とは無関係に、流体洗濯洗剤組成物を安定化させるのに十分な降伏応力又は低せん断粘度を付与することができるようなものであってもよい。これらは、流体洗濯洗剤組成物に、２１℃、２０ｓ−１にて１〜１５００ｃｐｓの高剪断粘度及び５０００ｃｐｓを超える低剪断粘度（２１℃、０．０５ｓ−１にて）を付与することができる。粘度は、直径４０ｍｍ及び間隙サイズ５００μｍの平板の鋼製スピンドルを用いるＴＡ  ｉｎｓｔｒｕｍｅｎｔｓ製のＡＲ  ５５０レオメーターを使用して測定される。２０ｓ−１での高剪断粘度、及び０．５ｓ−１での低剪断粘度は、２１℃で３分間の０．１ｓ−１〜２５ｓ−１の対数剪断速度掃引から得ることができる。
【０１４７】
一実施形態において、組成物は、約０．０１重量％〜約１重量％の非高分子系結晶質ヒドロキシル官能性構造化剤を含み得る。このような非高分子系結晶質ヒドロキシル官能性構造化剤は、結晶化可能なグリセリドを含んでもよく、洗濯洗剤組成物の最終的な１回容量への分散を補助するためにこのグリセリドを前乳化することもできる。好適な結晶化可能なグリセリドとしては、液体洗剤組成物内で結晶化させることができるという条件で、硬化ヒマシ油又は「ＨＣＯ」又はこれらの誘導体が挙げられる。
【０１４８】
洗剤組成物は、約０．０１重量％〜５重量％の天然由来及び／又は合成の高分子系構造化剤を含み得る。好適な天然に誘導された高分子系構造化剤としては、ヒドロキシエチルセルロース、疎水変性ヒドロキシエチルセルロース、カルボキシメチルセルロース、多糖誘導体、及びこれらの混合物が挙げられる。好適な多糖誘導体としては、ペクチン、アルジネート、アラビノガラクタン（アラビアゴム）、カラギーナン、ジェランガム、キサンタンガム、グアーガム及びこれらの混合物が挙げられる。好適な合成高分子系構造化剤としては、ポリカルボキシレート、ポリアクリレート、疎水変性エトキシル化ウレタン、疎水変性非イオン性ポリオール、及びこれらの混合物が挙げられる。一態様では、ポリカルボキシレートポリマーは、ポリアクリレート、ポリメタクリレート、又はこれらの混合物であってもよい。別の態様では、ポリアクリレートは、不飽和モノ−又はジ−カルボン酸と（メタ）アクリル酸のＣ１〜Ｃ３０アルキルエステルとのコポリマーであってもよい。このようなコポリマーは、商品名Ｃａｒｂｏｐｏｌ（登録商標）Ａｑｕａ  ３０でＮｏｖｅｏｎ  ｉｎｃから入手可能である。
【０１４９】
好適な構造化剤及びその製造方法は、米国特許第６，８５５，６８０号及び国際公開第２０１０／０３４７３６号に開示されている。
【０１５０】
酵素
本開示の洗浄組成物は、酵素を含み得る。酵素は、タンパク質由来、炭水化物由来又はトリグリセリド由来の染みを基材から除去することを含む様々な目的のため、布地の洗濯の際に遊離する染料移行を防止するため、並びに布地を修復するために、洗浄組成物に含められてもよい。好適な酵素には、任意の好適な起源（例えば、植物、動物、細菌、真菌及び酵母起源など）のプロテアーゼ、アミラーゼ、リパーゼ、カルボヒドラーゼ、セルラーゼ、オキシダーゼ、ペルオキシダーゼ、マンナナーゼ及びこれらの混合物が挙げられる。本明細書に記載の洗浄組成物で使用することができる他の酵素には、ヘミセルラーゼ、グルコアミラーゼ、キシラナーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ又はこれらの混合物が挙げられる。酵素の選択は、ｐＨ活性及び／又は安定性の最適条件、熱安定性、及び活性洗剤、ビルダーなどに対する安定性などの要因に影響される。
【０１５１】
いくつかの態様では、リパーゼが含まれてもよい。特定の態様にて使用することができる更なる酵素には、マンナナーゼ、プロテアーゼ及びセルラーゼが挙げられる。マンナナーゼ、プロテアーゼ及びセルラーゼは、Ｎｏｖｏｚｙｍｅｓ（Ｄｅｎｍａｒｋ）からそれぞれＭａｎｎａｗａｙ、Ｓａｖｉｎａｓｅ及びＣｅｌｌｕｃｌｅａｎの商標名で購入することができ、それぞれ１グラム当たり、４ｍｇ、１５．８ｍｇ、及び１５．６ｍｇの活性酵素が得られる。
【０１５２】
いくつかの態様では、組成物は、少なくとも２つ、少なくとも３つ又は少なくとも４つの酵素を含む。いくつかの態様では、組成物は、少なくともアミラーゼ及びプロテアーゼを含む。
【０１５３】
酵素は、通常、「洗浄に有効な量」を提供するのに十分な濃度で洗浄組成物中に組み込まれる。語句「洗浄に有効な量」とは、布地、硬い表面などの汚れた材料に対して、洗浄、染み除去、汚れ除去、増白、脱臭又は洗い立て感の改善効果をもたらすことが可能な任意の量を指す。いくつかの態様では、洗剤組成物は、洗浄組成物の重量に対して、約０．０００１％〜約５％、約０００５％〜約３％、又は約０．００１％〜約２％の活性酵素を含み得る。酵素は、個別の単一構成成分として又は２種類以上の酵素の混合物として添加することができる。
【０１５４】
広範な酵素物質及び酵素物質を合成洗浄組成物に組み込むための手段については、国際公開第９３０７２６３（Ａ）号、国際公開第９３０７２６０（Ａ）号、国際公開第８９０８６９４（Ａ）号、米国特許第３，５５３，１３９号、同第４，１０１，４５７号及び米国特許第４，５０７，２１９号に開示されている。液体洗浄組成物に有用な酵素物質、及び当該組成物への組み込みについては、米国特許第４，２６１，８６８号に開示されている。
【０１５５】
マイクロカプセル及び送達系
いくつかの態様では、本明細書に開示の組成物は、マイクロカプセルを含み得る。マイクロカプセルは、香料原材料、シリコーンオイル、ろう、炭化水素、高級脂肪酸、精油、脂質、皮膚冷却剤、ビタミン、日焼け止め剤、酸化防止剤、グリセリン、触媒、漂白剤粒子、二酸化ケイ素粒子、悪臭軽減剤、臭気抑制物質、キレート化剤、静電気防止剤、柔軟化剤、昆虫類及び蛾類忌避剤、着色剤、酸化防止剤、キレート剤、増粘剤、ドレープ及び形状制御剤、スムージング剤、しわ制御剤、浄化剤、消毒剤、細菌抑制剤、カビ制御剤、白カビ制御剤、抗ウイルス剤、乾燥剤、染み防止剤、汚れ遊離剤、布地リフレッシュ剤及び洗い立て感増強剤、塩素漂白臭気抑制剤、染料固定剤、移染防止剤、色保全剤、蛍光増白剤、色回復／再生剤、退色防止剤、白色度増強剤、抗摩擦剤、耐摩耗剤、布地保全剤、磨耗防止剤、けば立ち防止剤、消泡剤、起泡防止剤、紫外線保護剤、太陽光劣化阻害剤、抗アレルギー剤、酵素、防水加工剤、布地調整剤、防縮剤、伸び防止剤、伸び回復剤、スキンケア剤、グリセリン、及び天然活性物質、抗菌活性物質、制汗活性物質、カチオン性ポリマー、染料、並びにこれらの混合物などの好適な有益剤を含み得る。いくつかの態様では、マイクロカプセルは、以下に記載する香料マイクロカプセルである。
【０１５６】
いくつかの態様では、本明細書に開示の組成物は、香料送達系を含み得る。好適な香料送達系、特定の香料送達系を製造する方法、及び該香料送達系の使用法は、米国特許出願公開第２００７／０２７５８６６（Ａ１）号に開示されている。このような香料送達系は、香料マイクロカプセルであってもよい。香料マイクロカプセルは、香料及びシェルを含むコアを含んでもよく、シェルは、コアを封入する。シェルは、アミノ樹脂コポリマー、アクリル、アクリレート、及びこれらの混合物からなる群から選択される物質を含んでもよい。アミノ樹脂コポリマーは、メラミン−ホルムアルデヒド、尿素−ホルムアルデヒド、架橋メラミンホルムアルデヒド、又はこれらの混合物であってもよい。いくつかの態様では、シェルは、ポリアクリレート、ポリエチレングリコールアクリレート、ポリウレタンアクリレート、エポキシアクリレート、ポリメタクリレート、ポリエチレングリコールメタクリレート、ポリウレタンメタクリレート、エポキシメタクリレート及びこれらの混合物からなる群から選択される物質を含む。香料マイクロカプセルのシェルは、本明細書で開示した組成物で処理された部位における、香料マイクロカプセルの付着及び／又は保持に役立つ、１種類又は２種類以上の材料、例えばポリマーでコーティングされ得る。ポリマーは、多糖類、カチオン変性デンプン、カチオン変性グアー、ポリシロキサン、ポリジアリルジメチルアンモニウムハライド、ポリジアリルジメチルアンモニウムクロリドとビニルピロリドンのコポリマー、アクリルアミド、イミダゾール、イミダゾリニウムハライド、イミダゾリウムハライド、ポリビニルアミン、ポリビニルアミンとＮ−ビニルホルムアミドのコポリマー、及びこれらの混合物からなる群から選択されるカチオン性ポリマーであってもよい。通常、コアは、未精製香油を含む。香料マイクロカプセルは、砕けやすくてもよく、かつ／又は約１０マイクロメートル〜約５００マイクロメートル又は約２０マイクロメートル〜約２００マイクロメートルの平均粒径であってもよい。いくつかの態様では、組成物には、全組成物重量に対して、約０．０１％〜約８０％、又は約０．１％〜約５０％、又は約１．０％〜約２５％、又は約１．０％〜約１０％の香料マイクロカプセルが含まれる。好適なカプセルは、Ａｐｐｌｅｔｏｎ  Ｐａｐｅｒｓ  Ｉｎｃ．、（Ａｐｐｌｅｔｏｎ、Ｗｉｓｃｏｎｓｉｎ  ＵＳＡ）から入手してもよい。
【０１５７】
ホルムアルデヒド捕捉剤は、こうした香料マイクロカプセルの中で用いることも、こうした香料マイクロカプセルと併せて用いることもできる。好適なホルムアルデヒド捕捉剤には、重亜硫酸ナトリウム、尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、４−アミノ安息香酸メチル、アセト酢酸エチル、アセトアセトアミド、マロンアミド、アスコルビン酸、１，３−ジヒドロキシアセトン二量体、ビウレット、オキサミド、ベンゾグアナミン、ピログルタミン酸、ピロガロール、没食子酸メチル、没食子酸エチル、没食子酸プロピル、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、ポリ（ビニルアミン）、ヘキサンジオール、エチレンジアミン−Ｎ，Ｎ’−ビスアセトアセトアミド、Ｎ−（２−エチルヘキシル）アセトアセトアミド、Ｎ−（３−フェニルプロピル）アセトアセトアミド、リリアール、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、ベンジルアミン、ヒドロキシシトロネロール、シクロヘキサノン、２−ブタノン、ペンタンジオン、デヒドロ酢酸、キトサン又はこれらの混合物を挙げることができる。
【０１５８】
好適なカプセル及び有益剤は、米国特許出願公開第２００８／０１１８５６８（Ａ１）号、同第２０１１／０２６８８０号、同第２０１１／０１１９９９号、同第２０１１／０２６８８０２（Ａ１）号及び同第２０１３０２９６２１１号（それぞれＴｈｅ  Ｐｒｏｃｔｅｒ  ＆  Ｇａｍｂｌｅ  Ｃｏｍｐａｎｙに譲渡）に更に議論されており、これらは参照により本明細書に組み込まれる。
【０１５９】
防汚ポリマー（ＳＲＰ）
本開示の洗剤組成物は、防汚ポリマーを含み得る。いくつかの態様では、洗剤組成物は、以下の構造（Ｉ）、（ＩＩ）又は（ＩＩＩ）のうちの１つによって定義される構造を有する、１種類又は２種類以上の防汚ポリマーを含み得る。
（Ｉ）      −［（ＯＣＨＲ１−ＣＨＲ２）ａ−Ｏ−ＯＣ−Ａｒ−ＣＯ−］ｄ
（ＩＩ）    −［（ＯＣＨＲ３−ＣＨＲ４）ｂ−Ｏ−ＯＣ−ｓＡｒ−ＣＯ−］ｅ
（ＩＩＩ）  −［（ＯＣＨＲ５−ＣＨＲ６）ｃ−ＯＲ７］ｆ
式中、
ａ、ｂ、及びｃは、１〜２００であり、
ｄ、ｅ、及びｆは、１〜５０であり、
Ａｒは、１，４−置換フェニレンであり、
ｓＡｒは、５位がＳＯ３Ｍｅにより置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−若しくはテトラ−アルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５及びＲ６は、独立して、Ｈ、Ｃ１〜Ｃ１８ｎ−又はイソ−アルキルから選択され、
Ｒ７は、直鎖若しくは分岐鎖Ｃ１〜Ｃ１８アルキル、又は直鎖若しくは分岐鎖Ｃ２〜Ｃ３０アルケニル、又は炭素原子を５〜９個有するシクロアルキル基、又はＣ８〜Ｃ３０アリール基、又はＣ６〜Ｃ３０アリールアルキル基である。
【０１６０】
好適な防汚ポリマーは、Ｒｅｐｅｌ−ｏ−ｔｅｘポリマー（例えば、Ｒｈｏｄｉａにより供給されているＲｅｐｅｌ−ｏ−ｔｅｘ  ＳＦ、ＳＦ−２及びＳＲＰ６）などのポリエステル防汚ポリマーである。他の好適な防汚ポリマーとしては、Ｔｅｘｃａｒｅポリマー（例えば、Ｃｌａｒｉａｎｔにより供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５など）が挙げられる。他の好適な防汚ポリマーは、Ｍａｒｌｏｑｕｅｓｔポリマー（例えば、Ｓａｓｏｌにより供給されているＭａｒｌｏｑｕｅｓｔ  ＳＬなど）である。
【０１６１】
色調剤
組成物は、布地色調剤（時には、色合い剤、青味剤、又は増白剤と称される場合もある）を含んでもよい。典型的には、色調剤は布地に青又は紫の色合いをもたらす。色調剤は単独で又は組み合わせて使用して、特定の色合いを作り出すことができ、かつ／又は異なる種類の布地に色合いをつけることができる。これは、例えば赤と緑−青の染料とを混合して青又は紫の色合いを生じさせることにより提供され得る。色調剤は、アクリジン、アントラキノン（多環式キノンを含む）、アジン、前金属化した（premetallized）アゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されない任意の既知の染料の化学分類から選択され得る。
【０１６２】
好適な布地色調剤としては、染料、染料−粘土共役体（dye-clay conjugate）、並びに有機及び無機顔料が挙げられる。好適な染料としては、小分子染料及びポリマー染料が挙げられる。好適な小分子染料としては、例えば、青、バイオレット、赤、緑、又は黒に分類され、単独で又は組み合わせで所望の色合いをもたらす、直接染料、塩基性染料、反応染料若しくは加水分解した反応性染料、溶剤染料又は分散染料の色指数（Ｃ．Ｉ．）分類に分類される染料からなる群から選択される小分子染料が挙げられる。別の態様では、好適な小分子染料としては、カラーインデックス（染色業者及びカラーリスト協会（Society of Dyers and Colourists），Ｂｒａｄｆｏｒｄ，ＵＫ）番号が、ダイレクトバイオレット染料９、３５、４８、５１、６６、及び９９など、ダイレクトブルー染料１、７１、８０、及び２７９など、アシッドレッド染料１７、７３、５２、８８、及び１５０など、アシッドバイオレット染料１５、１７、２４、４３、４９、及び５０など、アシッドブルー染料１５、１７、２５、２９、４０、４５、７５、８０、８３、９０、及び１１３など、アシッドブラック染料１など、ベーシックバイオレット染料１、３、４、１０、及び３５など、ベーシックブルー染料３、１６、２２、４７、６６、７５、及び１５９など、欧州特許第１７９４２７５号又は同第１７９４２７６号に記載されるものなどの分散又は溶剤染料、あるいは米国特許第７，２０８，４５９（Ｂ２）号に開示されている染料、並びにこれらの混合物からなる群から選択される小分子染料が挙げられる。別の態様では、好適な小分子染料としては、Ｃ．Ｉ．番号が、アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３又はこれらの混合物からなる群から選択される小分子染料が挙げられる。
【０１６３】
好適なポリマー染料としては、例えばポリマーと色原体とを共重合してポリマーの主鎖にしたものなどの、共有結合した（共役したと呼ばれることもある）色原体を含有するポリマー（染料−ポリマー共役体）、及びこれらの混合物からなる群から選択されるポリマー染料が挙げられる。高分子染料には、国際公開第２０１１／９８３５５号、国際公開第２０１１／４７９８７号、米国特許出願公開第２０１２／０９０１０２号、国際公開第２０１０／１４５８８７号、国際公開第２００６／０５５７８７号及び国際公開第２０１０／１４２５０３号に記載のものが挙げられる。
【０１６４】
別の態様では、好適なポリマー染料としては、Ｌｉｑｕｉｔｉｎｔ（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ））の名称で販売されている布地直接着色剤、及び少なくとも１つの反応染料と、ヒドロキシル部分、一級アミン部分、二級アミン部分、チオール部分及びこれらの混合物からなる群から選択される部分を含む高分子からなる群から選択される高分子と、から形成される染料−高分子共役体からなる群から選択される高分子染料が挙げられる。更に別の態様では、好適な高分子染料としては、Ｌｉｑｕｉｔｉｎｔ（登録商標）バイオレットＣＴ、Ｍｅｇａｚｙｍｅ（Ｗｉｃｋｌｏｗ，Ｉｒｅｌａｎｄ）から商品名ＡＺＯ−ＣＭ−セルロース、商品コードＳ−ＡＣＭＣで販売されているＣ．Ｉ．リアクティブブルー１９と共役しているＣＭＣなどのリアクティブブルー、リアクティブバイオレット、又はリアクティブレッドの染料に共有結合しているカルボキシメチルセルロース（ＣＭＣ）、アルコキシル化トリフェニール−メタン高分子着色料、アルコキシル化チオフェン高分子着色料、及びこれらの混合物からなる群から選択される高分子染料が挙げられる。
【０１６５】
好ましい色調染料には、国際公開第０８／８７４９７（Ａ１）号、国際公開第２０１１／０１１７９９号及び国際公開第２０１２／０５４８３５号に認められる増白剤が挙げられる。本開示の使用に好ましい色調剤は、これらの参考文献に開示されている好ましい染料であってよく、国際公開第２０１１／０１１７９９号の表５中の実施例１〜４２から選択されるものが挙げられる。他の好ましい染料は、米国特許第８，１３８，２２２号に開示されている。他の好ましい染料は、国際公開第２００９／０６９０７７号に開示されている。
【０１６６】
好適な染料粘土共役体としては、少なくとも１つのカチオン性／塩基性染料及びスメクタイト粘土、並びにこれらの混合物を含む群から選択される染料粘土共役体が挙げられる。別の態様では、好適な染料粘土共役体としては、Ｃ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１からなる群から選択される１種類のカチオン性／塩基性染料と、モンモリロナイト粘土、ヘクトライト粘土、サポナイト粘土及びこれらの組み合わせからなる群から選択される粘土とからなる群から選択される染料粘土共役体が挙げられる。更に別の態様では、好適な染料粘土共役体としては、モンモリロナイトベーシックブルーＢ７  Ｃ．Ｉ．４２５９５共役体、モンモリロナイトベーシックブルーＢ９  Ｃ．Ｉ．５２０１５共役体、モンモリロナイトベーシックバイオレットＶ３  Ｃ．Ｉ．４２５５５共役体、モンモリロナイトベーシックグリーンＧ１  Ｃ．Ｉ．４２０４０共役体、モンモリロナイトベーシックレッドＲ１  Ｃ．Ｉ．４５１６０共役体、モンモリロナイトＣ．Ｉ．ベーシックブラック２共役体、ヘクトライトベーシックブルーＢ７  Ｃ．Ｉ．４２５９５共役体、ヘクトライトベーシックブルーＢ９  Ｃ．Ｉ．５２０１５共役体、ヘクトライトベーシックバイオレットＶ３  Ｃ．Ｉ．４２５５５共役体、ヘクトライトベーシックグリーンＧ１  Ｃ．Ｉ．４２０４０共役体、ヘクトライトベーシックレッドＲ１  Ｃ．Ｉ．４５１６０共役体、ヘクトライトＣ．Ｉ．ベーシックブラック２共役体、サポナイトベーシックブルーＢ７  Ｃ．Ｉ．４２５９５共役体、サポナイトベーシックブルーＢ９  Ｃ．Ｉ．５２０１５共役体、サポナイトベーシックバイオレットＶ３  Ｃ．Ｉ．４２５５５共役体、サポナイトベーシックグリーンＧ１  Ｃ．Ｉ．４２０４０共役体、サポナイトベーシックレッドＲ１  Ｃ．Ｉ．４５１６０共役体、サポナイトＣ．Ｉ．ベーシックブラック２共役体、及びこれらの混合物からなる群から選択される染料粘土共役体が挙げられる。
【０１６７】
好適な顔料としては、フラバントロン、インダントロン、１〜４個の塩素原子を含む塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（そのイミド基は、非置換であっても、Ｃ１〜Ｃ３−アルキルラジカル又はフェニルラジカル又は複素環式ラジカルによって置換されていてもよく、そのフェニルラジカル及び複素環式ラジカルは、水溶性を付与しない置換基を更に有してもよい）、アントラピリミジンカルボン酸アミド、ビオラントロン、イソビオラントロン、ジオキサジン顔料、１分子当たり最大２個の塩素原子を含んでよい銅フタロシアニン、１分子当たり最大１４個の臭素原子を含むポリクロロ−銅フタロシアニン又はポリブロモクロロ−銅フタロシアニン、並びにこれらの混合物からなる群から選択される顔料が挙げられる。
【０１６８】
別の態様では、好適な顔料としては、ウルトラマリンブルー（Ｃ．Ｉ．ピグメントブルー２９）、ウルトラマリンバイオレット（Ｃ．Ｉ．ピグメントバイオレット１５）、及びこれらの混合物からなる群から選択される顔料が挙げられる。
【０１６９】
上記の布地色調剤は、組み合わせて用いることができる（布地色調剤のいずれの混合物も用いることができる）。
【０１７０】
他の洗濯補助剤
本明細書に記載の洗剤組成物は、他の従来の洗濯補助剤を含み得る。好適な洗濯補助剤には、ビルダー、キレート剤、移染防止剤、分散剤、酵素安定剤、触媒物質、漂白剤、漂白触媒、漂白活性化剤、ポリマー分散剤、粘土汚れ除去／再付着防止剤、例えばＰＥＩ６００  ＥＯ２０（例えばＢＡＳＦ）、ポリマー防汚剤、ポリマー分散剤、ポリマーグリース洗浄剤、増白剤、泡抑制剤、染料、香料、構造伸縮性付与剤、布地柔軟剤、キャリア、充填剤、向水性物質、溶媒、抗菌剤及び／又は防腐剤、中和剤及び／又はｐＨ調整剤、加工助剤、乳白剤、パールエッセンス剤、顔料又はこれらの混合物が挙げられる。通常の使用量は、蛍光増白剤及び日焼け止め剤などの補助剤に関しては組成物のわずか０．００１重量％から、ビルダーに関しては組成物の５０重量％までの範囲である。好適な補助剤は、米国特許出願第１４／２２６，８７８号並びに米国特許第５，７０５，４６４号、同第５，７１０，１１５号、同第５，６９８，５０４号、同第５，６９５，６７９号、同第５，６８６，０１４号及び同第５，６４６，１０１号に記載されており、このそれぞれは参照により本明細書に組み込まれる。
【０１７１】
洗浄又は洗濯洗剤組成物の製造方法
本明細書にて上述したカチオン性ポリマー及び他の様々な成分を本開示の洗浄組成物又は洗濯洗剤組成物に組み込むことは、任意の好適な手法で行うことができ、一般に、あらゆる順序の混合又は添加を含み得る。
【０１７２】
例えば、カチオン性ポリマーは、製造者から入手したままで、最終組成物の他の構成成分のうちの２つ以上の、予め形成した混合物に直接導入してもよい。これは、処方プロセスの最終時点を含めた、最終組成物の調製プロセスの任意の時点で行うことができる。すなわち、カチオン性ポリマーを予め形成した液体洗濯洗剤に加えて、本開示の最終組成物を形成することができる。
【０１７３】
カチオン性ポリマーは、乳化剤、分散剤又は懸濁剤と事前に混合してエマルション、ラテックス、分散液、懸濁液などを形成してよく、次いで、これを最終組成物の他の構成成分（例えば、シリコーン、洗浄性界面活性剤など）と混合することができる。これらの構成成分は、最終組成物の調製プロセスにて任意の順序及び任意の時点で添加することができる。いくつかの態様では、シリコーン（例えばシリコーンエマルション）は、カチオン性ポリマーが添加される前に、ベース洗剤に添加される。いくつかの態様では、カチオン性ポリマーは、シリコーンが添加される前に、ベース洗剤に添加される。
【０１７４】
カチオン性ポリマーは、最終組成物の１種類又は２種類以上の補助剤と混合され得、このプレミックスを残りの補助剤混合物に加えてもよい。
【０１７５】
本開示に係る液体組成物は、従来の方法に従って、例えば、バッチプロセス又は連続ループプロセスにて製造することができる。乾燥（例えば、粉末又は顆粒）組成物は、従来の方法に従って、例えば、本明細書に記載の構成成分を含むスラリーを噴霧乾燥又は吹付乾燥することによって製造することができる。
【０１７６】
本明細書に記載の洗剤組成物は、パウチ、好ましくは水溶性フィルムからなるパウチ内に封入され、布地を処理するのに使用することができる単位用量物品を形成することができる。
【０１７７】
洗濯洗剤組成物の使用方法
本開示は、布地を処理する方法に関し、この方法は、布地を本明細書に記載の洗剤組成物に接触させる工程を含む。方法は、洗濯操作又は洗浄操作を実施する工程を更に含んでもよい。洗浄溶液を形成するために、接触工程の前、途中又は後に水を追加してもよい。
【０１７８】
本開示はまた、本開示に係る組成物を用いた、例えば機械による布地（好ましくは汚れた布地）の洗浄に関するプロセスに関し、本開示に係る洗剤組成物を洗濯する布地に接触させる工程と、洗濯操作又は洗浄操作を実施する工程と、を含む。
【０１７９】
任意の好適な洗濯機、例えば、トップローディング式又はフロントローディング式自動洗濯機を使用することができる。当業者であれば、適切な洗濯操作に好適な機械が認識できるであろう。本開示の物品は、他の構成成分、例えば、布地添加剤、布地柔軟剤、すすぎ補助剤などと組み合わせて使用してもよい。更に、本開示の洗剤組成物は、既知の手洗い法にも用いることができる。
【０１８０】
本開示はまた、布地を処理する方法に関し得、この方法は、布地を本明細書に記載の洗剤組成物に接触させる工程と、洗濯工程を実施する工程と、次いで、布地を布地柔軟化組成物に接触させる工程と、を含む。方法全般又は少なくとも洗濯工程は、手で実施してもよいし、機械補助でもよいし、自動洗濯機で行ってもよい。布地を布地柔軟化組成物と接触させる工程は、例えば自動洗濯機のすすぎサイクル中に、水の存在下で実施され得る。
【０１８１】
試験方法
以下の項では、本開示で使用する試験方法について記載する。
【０１８２】
重量平均分子量の決定
本発明のポリマー材料の重量平均分子量（Ｍｗ）は、示差屈折率検出器（ＲＩ）を備えたサイズ排除クロマトグラフィー（ＳＥＣ）により決定する。１つの好適な機器は、Ａｇｉｌｅｎｔ（登録商標）ＧＰＣ／ＳＥＣソフトウェア第１．２版を用いるＡｇｉｌｅｎｔ（登録商標）ＧＰＣ−ＭＤＳシステム（Ａｇｉｌｅｎｔ，Ｓａｎｔａ  Ｃｌａｒａ，ＵＳＡ）である。互いに一列に直接連結させた３つの親水性のヒドロキシル化ポリメチルメタクリレートゲルカラム（Ｗａｔｅｒｓ（Ｍｉｌｆｏｒｄ，ＵＳＡ）製のＵｌｔｒａｈｙｄｒｏｇｅｌ  ２０００−２５０−１２０）及び孔径０．２２μｍのＧＶＷＰメンブレンフィルター（ＭＩＬＬＩＰＯＲＥ，Ｍａｓｓａｃｈｕｓｅｔｔｓ，ＵＳＡ）を通して濾過したＤＩ水中の０．１Ｍ塩化ナトリウム及び０．３％トリフルオロ酢酸の溶液を用いて、ＳＥＣ分離を実施する。ＲＩ検出器は、ベースライン変動を回避するために、周囲温度を約５〜１０℃上回る一定温度に保つ必要がある。３５℃に設定する。ＳＥＣの注入量は、１００μＬである。流量は、０．８ｍＬ／分に設定する。試験ポリマー測定の計算及び校正は、Ｐｏｌｙｍｅｒ  Ｓｔａｎｄａｒｄ  Ｓｅｒｖｉｃｅ（ＰＳＳ，Ｍａｉｎｚ  Ｇｅｒｍａｎｙ）から得た、Ｍｐ＝１１１０ｇ／モル、Ｍｐ＝３１４０ｇ／モル、Ｍｐ＝４８１０ｇ／モル、Ｍｐ＝１１．５ｋｇ／モル、Ｍｐ＝２２ｋｇ／モル、Ｍｐ＝４２．８ｋｇ／モル、Ｍｐ＝１１８ｋｇ／モル、Ｍｐ＝２５６ｋｇ／モル、Ｍｐ＝４４６ｋｇ／モル、及びＭｐ＝１０６０ｋｇ／モルのピーク分子量を有する、１０個の分布の狭いポリ（２−ビニルピリジン）標準からなるセットに対して行う。
【０１８３】
ＤＩ水中の０．１Ｍ塩化ナトリウム及び０．３％トリフルオロ酢酸の上記溶液に濃縮ポリマー溶液を溶解することによって各試験用サンプルを調製し、１〜２ｍｇ／ｍＬのポリマー濃度を有する試験用サンプルを得る。サンプル溶液を１２時間静置して完全に溶解し、次いで十分攪拌し、５ｍＬのシリンジを用いて、孔径０．４５μｍのナイロンメンブレン（ＷＨＡＴＭＡＮ（ＵＫ）製）を通して、オートサンプラーバイアル中に濾過する。ポリマー標準のサンプルを同様の方法で調製する。各試験用ポリマーについて、２つのサンプル溶液を調製する。各溶液を１回測定する。２つの測定結果を平均して、試験用ポリマーのＭｗを算出する。
【０１８４】
各測定にて、ＤＩ水中の０．１Ｍ塩化ナトリウム及び０．３％トリフルオロ酢酸の溶液をバックグラウンドとして最初にカラムに注入する。系の再現性及び正確度を検証するために、他のサンプル測定の前に、校正用サンプル（Ｍｐ＝１１１．３ｋｇ／モルを有するポリエチレンオキシド１ｍｇ／ｍＬの溶液）を６回分析する。
【０１８５】
機器に付属のソフトウェアを用い、ナロー標準校正モデリングに適切なメニューオプションを選択して、試験用サンプルポリマーの重量平均分子量（Ｍｗ）を算出する。三次多項式曲線を用いて、ポリ（２−ビニルピリジン）標準から測定されたデータポイントに校正曲線をフィッティングする。重量平均分子量の計算に用いるデータ領域を、ＲＩ検出器によって検出された信号強度に基づいて選択する。対応するベースラインノイズのレベルよりも３倍を超えて大きいＲＩ信号のデータ領域を選択し、Ｍｗ計算に含める。他の全てのデータ領域を破棄し、Ｍｗ計算から排除する。校正領域から外れるこれらの領域については、校正曲線をＭｗ計算に外挿する。
【０１８６】
異なる分子量のポリマー混合物を含有する試験用サンプルの平均分子量を測定するために、選択したデータ領域を多数の均等間隔スライスに分ける。選択した領域から得た各スライスの高さ又はＹ値は、特定のポリマー（ｉ）の存在量（Ｎｉ）を表し、選択した領域から得た各スライスのＸ値は、特定のポリマー（ｉ）の分子量（Ｍｉ）を表す。試験用サンプルの重量平均分子量（Ｍｗ）を本明細書にて上述した等式、すなわち、Ｍｗ＝（Σｉ  Ｎｉ  Ｍｉ２）／（Σｉ  Ｎｉ  Ｍｉ）に基づいて算出する。
【０１８７】
布地ストリッピング
布地の処理及び試験（例えば、シリコーン付着、摩擦及び／又は白色度）の前に、通常、存在し得る製造者のあらゆる加工を布地から「ストリッピング」し、乾燥させ、次いで、洗剤組成物で処理する。
【０１８８】
ストリッピングは、Ｍｉｌｎｏｒモデル番号３００２２Ｘ８Ｊなどのフロントローディング式洗濯機で新しい布地を数回洗浄することによって達成し得る。ストリッピングに関して、各洗濯物は、２０〜２３キログラム（４５〜５０ポンド）の布地を含み、各洗浄サイクルは、炭酸カルシウム０ｍｇ／Ｌに相当する硬度を有する約９５リットル（２５ガロン）の水及び６０℃の水温度を用いる。合計１４２０リットル（３７５ガロン）の水を１５回投入及び排出するように洗濯機をプログラムする。１回目及び２回目の洗浄サイクルは、１７５ｇの増白剤を含まないＡＡＴＣＣ液体洗濯洗剤（２００３標準参照液体洗剤ＷＯＢ（蛍光増白剤なし）、例えばＴｅｓｔｆａｂｒｉｃｓ  Ｉｎｃ．、（Ｗｅｓｔ  Ｐｉｔｔｓｔｏｎ，Ｐｅｎｎｓｙｌｖａｎｉａ，ＵＳＡ）によるものなど）を含む。各洗浄サイクルに続いて２回のすすぎを行い、２回目の洗浄サイクルの後に３回の追加の洗浄サイクルを洗剤なし又は石鹸泡が認められなくなるまで行う。次いで、布地をタンブラー乾燥機で完全に乾燥するまで乾燥させ、布地処理／試験方法に用いる。
【０１８９】
シリコーン付着試験法
布地上へのシリコーン付着は、以下の試験方法に従って測定する。通常、シリコーン付着が多くなると、より柔らかな感触の布地になるという相関がある。シリコーン付着は、木綿１００％のテリータオル（例えば、Ｃａｌｄｅｒｏｎ（Ｉｎｄｉａｎａｐｏｌｉｓ，ＩＮ，ＵＳＡ））又はポリエステル／木綿５０％／５０％のジャージーニット（例えば、Ｔｅｓｔ  Ｆａｂｒｉｃｓ（Ｗｅｓｔ  Ｐｉｔｔｓｔｏｎ，ＰＡ，ＵＳＡ）、１４７ｇ／ｍ２）を、以下に記載する手順に従って準備し、本開示の洗剤組成物で処理して、特定する。
【０１９０】
布地の処理
ａ．北米トップローディング式洗濯機
トップローディング式Ｋｅｎｍｏｒｅ  ８０シリーズなどの洗濯機の洗浄サイクルに洗剤を投入することによって、ストリッピングした布地を本開示の組成物で処理する。各洗濯機は、木綿１００％のテリータオル（Ｃａｌｄｅｒｏｎ  Ｔｅｘｔｉｌｅｓ（ＬＬＣ  ６１３１  Ｗ  ８０ｔｈ  Ｓｔ  Ｉｎｄｉａｎａｐｏｌｉｓ  ＩＮ  ４６２７８）から入手可能なＲＮ３７００２ＬＬである３０．５ｃｍ×３０．５ｃｍの約１２枚の布地）と、ポリエステル／木綿５０／５０のジャージーニット布地＃７４２２（Ｔｅｓｔ  Ｆａｂｒｉｃｓ（４１５  Ｄｅｌａｗａｒｅ  Ａｖｅ，Ｗｅｓｔ  Ｐｉｔｔｓｔｏｎ  ＰＡ  １８６４３）から入手可能な３０．５ｃｍ×３０．５ｃｍの約１０枚の布地見本）と、２枚の木綿１００％Ｔシャツ（Ｇｉｌｄａｎ、Ｌサイズ）と、を含む２．５ｋｇの布地を含む。半投入量である６４リットル（１７ガロン）を用いて、３２℃（９０°Ｆ）洗浄及び１６℃（６０°Ｆ）すすぎに設定し、水１リットル当たり０．１グラム（１ガロン当たり６グレーン）を用いて、Ｋｅｎｍｏｒｅ  ８０シリーズのヘビーデューティサイクルを用いて、洗浄することによって、ストリッピングした布地を本開示の組成物で処理する。サイクルの開始時に洗剤組成物（６４．５ｇ）を水に加え、布地を入れる。布地を、例えば、Ｋｅｎｍｏｒｅシリーズ乾燥機を木綿／高で５０分間に設定して用いて乾燥させる。布地を合計３サイクルの洗浄−乾燥サイクルで処理して、次いで、シリコーン付着について分析する。
【０１９１】
ｂ．北米フロントローディング式洗濯機
Ｗｈｉｒｌｐｏｏｌ  Ｄｕｅｔ  Ｍｏｄｅｌ  ９２００（Ｗｈｉｒｌｐｏｏｌ，Ｂｅｎｔｏｎ  Ｈａｒｂｏｒ，Ｍｉｃｈｉｇａｎ，ＵＳＡ）などのフロントローディング式洗濯機の洗浄サイクルに洗剤を投入することによって、ストリッピングした布地を本開示の組成物で処理する。各洗濯機は、５枚の３２ｃｍ×３２ｃｍの木綿１００％のテリー洗面用タオル（例えば、Ｃａｌｄｅｒｏｎ  Ｔｅｘｔｉｌｅｓ（Ｉｎｄｉａｎａｐｏｌｉｓ，Ｉｎｄｉａｎａ，ＵＳＡ）のＲＮ３７００２ＬＬなど）の他に、概算で９枚の成人男性用Ｌサイズ木綿１００％の極めて重いジャージーＴシャツ（Ｈａｎｅｓブランドなど）、９枚のポリエステル５０％／木綿５０％の枕カバー（例えば、Ｓｔａｎｄａｒｄ  Ｔｅｘｔｉｌｅ  Ｃｏ．、（Ｃｉｎｃｉｎｎａｔｉ，Ｏｈｉｏ，ＵＳＡ）の品目０３７１６１００番など）、及び９枚のポリエステル１４％／木綿８６％のテリーハンドタオル（例えば、Ｓｔａｎｄａｒｄ  Ｔｅｘｔｉｌｅ  Ｃｏ．、（Ｃｉｎｃｉｎｎａｔｉ，Ｏｈｉｏ，ＵＳＡ）の品目４０８２２３０１番など）からなる布地洗濯物を含む。バラスト布地の量は、テリー洗面用タオルを含む全布地洗濯物の乾燥重量が３．６〜３．９ｋｇになるように調整する。６６ｇの試験製品（又は対照洗剤）を洗濯機の投入引き出しに添加する。炭酸カルシウム当量１２０ｍｇ／Ｌを含む１８．９Ｌの水、洗浄温度３２℃及びすすぎ温度１６℃である通常サイクルを選択する。洗浄／すすぎサイクルの最後に、任意の標準米国式タンブラー乾燥機を用いて、布地洗濯物を完全に乾くまで乾燥させる。洗浄サイクルで用いたものと同じ水条件を用いて、水で洗濯機をすすいで洗浄する。布地洗濯物を用いて、洗浄、すすぎ、乾燥及び洗濯機洗浄の手順を合計３サイクル繰り返す。
【０１９２】
ｃ．西欧フロントローディング式洗濯機
Ｍｉｅｌｅ  １７２４などのフロントローディング式洗濯機の洗浄サイクルに洗剤を投入することによって、ストリッピングした布地を本開示の組成物で処理する。各洗濯機は、木綿１００％のテリー洗面用タオル（例えば、Ｃａｌｄｅｒｏｎ  Ｔｅｘｔｉｌｅｓ（Ｉｎｄｉａｎａｐｏｌｉｓ，Ｉｎｄｉａｎａ，ＵＳＡ）のＲＮ３７００２ＬＬなどの３２ｃｍ×３２ｃｍである約１８枚の布地）と、ポリエステル／木綿５０／５０のジャージーニット布地＃７４２２（Ｔｅｓｔ  Ｆａｂｒｉｃｓ（４１５  Ｄｅｌａｗａｒｅ  Ａｖｅ，Ｗｅｓｔ  Ｐｉｔｔｓｔｏｎ  ＰＡ  １８６４３）から入手可能な３０．５ｃｍ×３０．５ｃｍの約７枚の布地見本）の他に、概算で７枚の成人男性用Ｌサイズ木綿１００％の極めて重いジャージーＴシャツ（Ｇｉｌｄａｎブランドなど）、及び２枚のポリエステル１４％／木綿８６％のテリーハンドタオル（例えば、Ｓｔａｎｄａｒｄ  Ｔｅｘｔｉｌｅ  Ｃｏ．、（Ｃｉｎｃｉｎｎａｔｉ，Ｏｈｉｏ，ＵＳＡ）の品目４０８２２３０１番など）の更なるバラストからなる布地洗濯物３ｋｇを含む。バラスト布地の量は、テリー洗面用タオルを含む全布地洗濯物の乾燥重量が３ｋｇになるように調整する。７３ｇの試験製品（又は対照洗剤）を洗濯機の投入引き出しに添加する。０．２６ｇ／Ｌ（１５ｇｐｇ）水を有する１２Ｌの水、洗浄温度３０℃及びすすぎ温度１５℃である木綿短サイクルを選択する。洗浄／すすぎサイクルの最後に、任意の標準米国式タンブラー乾燥機を用いて、布地洗濯物を完全に乾くまで乾燥させる。洗浄サイクルで用いたものと同じ水条件を用いて、水で洗濯機をすすいで洗浄する。布地洗濯物を用いて、洗浄、すすぎ、乾燥及び洗濯機洗浄の手順を合計３サイクル繰り返す。
【０１９３】
シリコーン付着分析
処理した布地（試験処理当たりの最小値ｎ＝３）を直径４ｃｍの円形に打ち抜き、各円形を２０ｍＬのシンチレーションバイアル瓶（例えば、ＶＷＲ＃６６０２１−５３３）に加え、布地重量を記録する。このバイアル瓶に１２ｍＬの５０％トルエン／５０％メチルイソブチルケトン溶媒混合液を加えて非極性シリコーン（例えば、ＰＤＭＳ）を抽出するか、あるいは９ｍＬの１５％エタノール／８５％メチルイソブチルケトン溶媒混合液を用いて極性シリコーン（例えば、アミノ官能化シリコーン）を抽出する。布地及び溶媒を含むバイアル瓶を再計量し、次いで、パルスボルテックスミキサー（ＤＶＸ−２５００，ＶＷＲ＃１４００５−８２６）上で３０分間攪拌する。
【０１９４】
抽出物中のシリコーンを、誘導結合プラズマ発光分光分析法（ＩＣＰ−ＯＥＳ，Ｐｅｒｋｉｎ  Ｅｌｍｅｒ  Ｏｐｔｉｍａ５３００ＤＶ）を用いて校正曲線と比較して定量化し、布地１グラム当たりのシリコーンをマイクログラム単位で記録する。校正曲線は、試験対象の製品と同一種類又は構造的に類似した種類のシリコーン原材料を用いて調製した既知のシリコーン濃度を有するＩＣＰ校正標準を用いて作成する。本方法の作動範囲は、布地１グラム当たり８〜２３００μｇのシリコーンである。消費者が認識するとみなされるには、通常、少なくとも８０マイクログラム／グラムのシリコーン付着が求められる。
【０１９５】
摩擦の変化
複数の洗浄サイクルを経て布地表面の摩擦を低減する布地ケア組成物の性能を、以下の方法に従って、木綿テリー洗面用タオルの布地対布地の摩擦変化を決定することによって評価する。摩擦が小さくなると、より柔らかな感触の布地になるという相関がある。この方法は、テリー洗面用タオルを試験製品で３回洗浄する工程と、次いで、このテリー洗面用タオルの摩擦とポリマーを含まない対照製品を用いて得たタオルの摩擦とを比較する工程を含む。
【０１９６】
使用する布地洗濯物は、５枚の３２ｃｍ×３２ｃｍの木綿１００％のテリー洗面用タオル（例えば、Ｃａｌｄｅｒｏｎ  Ｔｅｘｔｉｌｅｓ（Ｉｎｄｉａｎａｐｏｌｉｓ，Ｉｎｄｉａｎａ，ＵＳＡ）のＲＮ３７００２ＬＬなど）の他に、概算で９枚の成人男性用Ｌサイズ木綿１００％の極めて重いジャージーＴシャツ（Ｈａｎｅｓブランドなど）、９枚のポリエステル５０％／木綿５０％の枕カバー（例えば、Ｓｔａｎｄａｒｄ  Ｔｅｘｔｉｌｅ  Ｃｏ．、（Ｃｉｎｃｉｎｎａｔｉ，Ｏｈｉｏ，ＵＳＡ）の品目０３７１６１００番など）、及び９枚のポリエステル１４％／木綿８６％のテリーハンドタオル（例えば、Ｓｔａｎｄａｒｄ  Ｔｅｘｔｉｌｅ  Ｃｏ．、（Ｃｉｎｃｉｎｎａｔｉ，Ｏｈｉｏ，ＵＳＡ）の品目４０８２２３０１番など）の更なるバラストからなる。バラスト布地の量は、テリー洗面用タオルを含む全布地洗濯物の乾燥重量が３．６〜３．９ｋｇになるように調整する。全ての布地洗濯物を、例えば上述した方法によって、製造時の布地加工を除去するためにストリッピングする。
【０１９７】
ストリッピングした布地洗濯物を清浄なフロントローディング式洗濯機（例えば、Ｗｈｉｒｌｐｏｏｌ  Ｄｕｅｔ  Ｍｏｄｅｌ  ９２００，Ｗｈｉｒｌｐｏｏｌ，Ｂｅｎｔｏｎ  Ｈａｒｂｏｒ，Ｍｉｃｈｉｇａｎ，ＵＳＡ）に加える。６６ｇの試験製品（又は対照洗剤）を洗濯機の投入引き出しに添加する。炭酸カルシウム当量１２０ｍｇ／Ｌを含む１８．９Ｌの水、洗浄温度３２℃及びすすぎ温度１６℃である通常サイクルを選択する。洗浄／すすぎサイクルの最後に、任意の標準米国式タンブラー乾燥機を用いて、布地洗濯物を完全に乾くまで乾燥させる。洗浄サイクルで用いたものと同じ水条件を用いて、水で洗濯機をすすいで洗浄する。布地洗濯物を用いて、洗浄、すすぎ、乾燥及び洗濯機洗浄の手順を合計３サイクル繰り返す。
【０１９８】
３回目の乾燥サイクルが完了したら、処理した布地タオルを２３℃及び５０％相対湿度で最低８時間、平衡化する。被処理布地を平らに置き、かつ１０枚以下の高さで重ねて平衡化する。平衡化工程に使用したものと同じ環境条件下で、同じ日に、試験製品及びポリマーを含まない対照製品の摩擦測定を行う。
【０１９９】
２０ニュートン（２キログラム重）のロードセルを備える摩擦／引張試験機を用いて、布地対布地の摩擦力を測定する（例えば、モデルＦＰ２２５０、Ｔｈｗｉｎｇ−Ａｌｂｅｒｔ  Ｉｎｓｔｒｕｍｅｎｔ  Ｃｏｍｐａｎｙ，Ｗｅｓｔ  Ｂｅｒｌｉｎ，Ｎｅｗ  Ｊｅｒｓｅｙ，ＵＳＡ）。６．４×６．４ｃｍの接触面積及び重さ２００ｇのクランプ型スレッドを用いる（例えば、品番００２２５−２１８、Ｔｈｗｉｎｇ  Ａｌｂｅｒｔ  Ｉｎｓｔｒｕｍｅｎｔ  Ｃｏｍｐａｎｙ，Ｗｅｓｔ  Ｂｅｒｌｉｎ，Ｎｅｗ  Ｊｅｒｓｅｙ，ＵＳＡ）。ロードセルとスレッドとの間の距離は、１０．２ｃｍに設定する。クロスヘッドのアームとサンプル台との間の距離は、クロスアームの底面から台の上面までを測定して、２５ｍｍに調整する。機器を、Ｔ２動的測定時間１０．０秒、合計測定時間２０．０秒、試験速度２０ｃｍ／分の設定に設定する。
【０２００】
テリー洗面用タオルを、タグのある側を下にして置き、次いで、上に向いている側を布地の表面とする。タグがない場合、及び表と裏で異なる布地の場合は、「表」に指定するテリー布地の一面を確定し、この指定を全てのテリー洗面タオルで変えないことが重要である。次いで、パイルのループが左側に向くように、テリー洗面用タオルを配向する。布バサミを用いて、タオルの下面及び側縁部から２．５４ｃｍ内側の位置で、１１．４ｃｍ×６．４ｃｍの布地見本をテリー洗面用タオルから切り取る。布地見本は、１１．４ｃｍの長さがタオルの下面と平行になり、６．４ｃｍの端部がタオルの左右側と平行になるように、位置を調整しなければならない。次いで、見本を切り取った洗面用タオルを、この同じ配向を維持しつつ、機器のサンプル台に固定する。
【０２０１】
１１．４ｃｍ×６．４ｃｍの布地見本を、表面を外側にしてクランプ型スレッドに取り付ける。これにより、スレッド上の布地見本の表面がサンプル板上の洗面用タオルの表面を横切って引っ張られる。次いで、スレッド上の見本のループが、洗面用タオルのループの起毛（nap）の逆に配向されるように、スレッドを洗面用タオル上に置く。ロードセルにスレッドを取り付ける。クロスヘッドをロードセルが０．０１〜０．０２Ｎ（１．０〜２．０ｇｆ（グラム重））を記録するまで動かし、その後、荷重が０．０Ｎ（０．０ｇｆ）の表示になるまで戻す。次に、測定を開始し、スレッドが引かれている間、１秒ごとに動摩擦係数（ｋＣＯＦ）を機器で記録する。
【０２０２】
各洗面用タオルに関して、１０秒〜２０秒の測定時間枠にわたる平均ｋＣＯＦを算出する。
ｆ＝（ｋＣＯＦ１０ｓ＋ｋＣＯＦ１１ｓ＋ｋＣＯＦ１２ｓ＋．．．＋ｋＣＯＦ２０ｓ）／１２
【０２０３】
次いで、１製品当たり５枚の洗面用タオルの平均ｋＣＯＦを計算する。
Ｆ＝（ｆ１＋ｆ２＋ｆ３＋ｆ４＋ｆ５）／５
【０２０４】
対照洗剤に対する試験製品の摩擦変化を以下の通り計算する。
Ｆ（対照）−Ｆ（試験製品）＝摩擦変化
【０２０５】
白色度変化性能の試験方法
白布地が複数の洗浄サイクルを経て白さの低下を呈するのを防ぐ、洗浄組成物の性能を、以下の方法に従って、ポリエステル追跡布地見本の白色度変化を決定することによって評価する。この方法は、汚れを付した布地の存在下で、試験製品で洗浄する前と洗浄した後のポリエステル布地見本のＣＩＥ白色度指数を測定する工程と、次いで、その差と、カチオン性ポリマーもシリコーンも含まない対照洗剤を用いて得た差とを比較する工程と、を含む。
【０２０６】
使用する布地洗濯物は、４枚の１７．８ｃｍ×１７．８ｃｍの白色ポリエステル織物追跡布地見本（ＥＭＣ  Ｍａｎｕｆａｃｔｕｒｉｎｇ（Ｃｉｎｃｉｎｎａｔｉ，Ｏｈｉｏ，ＵＳＡ）の布地ＰＷ１９など）の他に、概算で９枚の成人男性用Ｌサイズ木綿１００％の極めて重いジャージーＴシャツ（Ｈａｎｅｓブランドなど）、９枚のポリエステル５０％／木綿５０％の枕カバー（例えば、Ｓｔａｎｄａｒｄ  Ｔｅｘｔｉｌｅ  Ｃｏ．、（Ｃｉｎｃｉｎｎａｔｉ，Ｏｈｉｏ，ＵＳＡ）の品目０３７１６１００番など）、及び９枚のポリエステル１４％／木綿８６％のテリーハンドタオル（例えば、Ｓｔａｎｄａｒｄ  Ｔｅｘｔｉｌｅ  Ｃｏ．、（Ｃｉｎｃｉｎｎａｔｉ，Ｏｈｉｏ，ＵＳＡ）の品目４０８２２３０１番など）の更なるバラストからなる。バラスト布地の量は、追跡布地見本を含む全布地洗濯物の乾燥重量が３．６〜３．９ｋｇになるように調整する。全ての布地洗濯物を、製造時の布地加工を除去するためにストリッピングする。
【０２０７】
ストリッピングしたポリエステル追跡見本について、ＣＩＥ白色度指数の最初の測定を実施する。追跡布地見本に対するＣＩＥ白色度指数（ＷＩ）の測定を、複光束分光光度計（例えば、Ｈｕｎｔｅｒ  Ａｓｓｏｃｉａｔｅｓ  Ｌａｂｏｒａｔｏｒｙ，Ｉｎｃ．、（Ｒｅｓｔｏｎ，Ｖｉｒｇｉｎｉａ，ＵＳＡ）のＨｕｎｔｅｒモデルＬａｂｓｃａｎ  ＸＥ）を用いて、設定をＤ６５照明、観測角１０°、配置０°／４５°、反射成分除去に設定して実施する。測定前に、各布地見本を半分に折り、厚さを倍にしてから、追跡見本ごとに測定を実施し、２つのＣＩＥ  ＷＩ測定値を平均する。
【０２０８】
上述した布地洗濯物を清浄なフロントローディング式洗濯機（例えば、Ｗｈｉｒｌｐｏｏｌ  Ｄｕｅｔ  Ｍｏｄｅｌ  ９２００，Ｗｈｉｒｌｐｏｏｌ，Ｂｅｎｔｏｎ  Ｈａｒｂｏｒ，Ｍｉｃｈｉｇａｎ，ＵＳＡ）に加え、更に、４枚の汚れた布地見本を洗濯機内の洗濯物の上に加える。これらの４枚の汚れた布地見本は、ＵＳ  Ｃｌａｙ／Ｂｌａｃｋ  Ｔｏｄｄ  Ｃｌａｙ／ＶＣＳスラリーを有する１２．７ｃｍ×１２．７ｃｍのＰＣＷ２８ポリコットン布地である２枚の見本と、植物油を有する１２．７ｃｍ×１２．７のＣＷ１２０木綿布地である１枚の見本と、人工の体汚れを有する１枚の木綿テリー洗面用タオルとからなる（汚れた布地見本は全てＥＭＣ  Ｍａｎｕｆａｃｔｕｒｉｎｇ（Ｃｉｎｃｉｎｎａｔｉ，Ｏｈｉｏ，ＵＳＡ）から入手する）。汚れた見本は、使用まで冷凍室で保管し、本方法での使用の前に室温まで一晩平衡化させておく。６６ｇの試験洗浄製品（又はポリマーを含まない対照）を洗濯機の投入引き出しに添加する。汚れを付加したサイクルでは、炭酸カルシウム当量１２０ｍｇ／Ｌを含む１８．９Ｌの水、洗浄温度２５℃及びすすぎ温度１６℃である通常サイクルを選択する。洗浄／すすぎサイクルの最後に、任意の標準米国式タンブラー乾燥機を用いて、布地洗濯物を完全に乾くまで乾燥させる。洗浄サイクルで用いたものと同じ水条件を用いて、水で洗濯機をすすいで洗浄する。各サイクルで新しい汚れ見本を用いて、布地洗濯物とともに、洗浄、すすぎ、乾燥及び洗濯機洗浄の手順を合計５サイクル繰り返す。５回目の乾燥サイクルの後、各ポリエステル追跡見本のＣＩＥ白色度指数を測定する。
【０２０９】
各試験製品及びポリマーを含まない対照製品について、最初のストリッピング後と、更に汚れを加えた５サイクル洗浄後の各見本の平均ＷＩを計算する。次いで、各製品又は対照製品について、以下のようにＷＩのΔを計算する。
ＷＩ（最初の平均）−ＷＩ（５サイクル洗浄の平均）＝ΔＷＩ
【０２１０】
次いで、ポリマーを含まない対照洗剤に対する試験製品の白色度変化を以下の通り計算する。
ΔＷＩ（試験製品）−ΔＷＩ（対照）＝白色度変化
【実施例】
【０２１１】
以下に示す非限定的な実施例は、本開示に係る組成物の例示である。
【０２１２】
実施例１Ａ〜１Ｈ：液体洗剤布地ケア組成物。液体洗剤布地ケア組成物を、表１に示す成分を指定の割合で混合することによって調製する。実施例１Ｈは、比較処方である。
【０２１３】
【表１】
2019049002.tif 000020
【０２１４】
実施例２Ａ〜Ｇ：液体洗剤又はゲル洗剤。液体又はゲル洗剤布地ケア組成物を、表２に示す成分を指定の割合で混合することによって調製する。実施例２Ｇは比較処方である。
【０２１５】
【表２】
2019049002.tif 000021
【０２１６】
実施例３Ａ〜Ｅ：単位用量洗剤。単一又は複数区画の可溶性単位用量の形態であってもよい液体洗剤又はゲル洗剤（例えば、ＭｏｎｏＳｏｌ，ＬＬＣ（Ｍｅｒｒｉｌｌｖｉｌｌｅ，Ｉｎｄｉａｎａ，ＵＳＡ）から入手可能なＭ８６３０などのポリビニルアルコールフィルム又は米国特許出願第２０１１／０１８８７８４（Ａ１）号に開示されているようなものによるフィルムに囲まれた液体洗剤）を、表３に示す成分を指定の割合で混合することによって調製する。
【０２１７】
【表３】
2019049002.tif 000022
【０２１８】
表１、２及び３に関する成分符号
１Ｓｈｅｌｌ  Ｃｈｅｍｉｃａｌｓ（Ｈｏｕｓｔｏｎ，ＴＸ）から入手可能。
２Ｈｕｎｔｓｍａｎ  Ｃｈｅｍｉｃａｌｓ（Ｓａｌｔ  Ｌａｋｅ  Ｃｉｔｙ，ＵＴ）から入手可能。
３Ｓａｓｏｌ  Ｃｈｅｍｉｃａｌｓ（Ｊｏｈａｎｎｅｓｂｕｒｇ，Ｓｏｕｔｈ  Ａｆｒｉｃａ）から入手可能。
４Ｔｈｅ  Ｐｒｏｃｔｅｒ  ＆  Ｇａｍｂｌｅ  Ｃｏｍｐａｎｙ（Ｃｉｎｃｉｎｎａｔｉ，ＯＨ）から入手可能。
５Ｓｉｇｍａ  Ａｌｄｒｉｃｈ  ｃｈｅｍｉｃａｌｓ（Ｍｉｌｗａｕｋｅｅ，ＷＩ）から入手可能。
６ＤｕＰｏｎｔ−Ｇｅｎｅｎｃｏｒ（Ｐａｌｏ  Ａｌｔｏ，ＣＡ）から入手可能。
７Ｎｏｖｏｚｙｍｅｓ（Ｃｏｐｅｎｈａｇｅｎ，Ｄｅｎｍａｒｋ）から入手可能。
８Ｃｉｂａ  Ｓｐｅｃｉａｌｔｙ  Ｃｈｅｍｉｃａｌｓ（Ｈｉｇｈ  Ｐｏｉｎｔ，ＮＣ）から入手可能。
９Ｍｉｌｌｉｋｅｎ  Ｃｈｅｍｉｃａｌ（Ｓｐａｒｔａｎｂｕｒｇ，ＳＣ）から入手可能。
１０ＢＡＳＦ（Ｌｕｄｗｉｇｓｈａｆｅｎ，Ｇｅｒｍａｎｙ）から入手した、−ＮＨ当たり２０のエトキシレート基を有する分子量６００ｇ／モルのポリエチレンイミンコア。
１１−ＮＨ当たり２４のエトキシレート基と、−ＮＨ当たり１６のプロポキシレート基とを有する、分子量６００ｇ／モルのポリエチレンイミンコア。ＢＡＳＦ（Ｌｕｄｗｉｇｓｈａｆｅｎ，Ｇｅｒｍａｎｙ）より入手。
１２国際公開第０１／０５８７４号に記載。ＢＡＳＦ（Ｌｕｄｗｉｇｓｈａｆｅｎ，Ｇｅｒｍａｎｙ）より入手。
１３商標名ＴｈｉｘｉｎＲとしてＥｌｅｍｅｎｔｉｓ  Ｓｐｅｃｉａｌｔｉｅｓ（Ｈｉｇｈｓｔｏｗｎ，ＮＪ）から入手可能。
１４ＢＡＳＦ（Ｌｕｄｗｉｇｓｈａｆｅｎ，Ｇｅｒｍａｎｙ）から入手した、重量平均分子量４７ｋＤａを有する、アクリルアミド１６％及びジアリルジメチルアンモニウムクロリド８４％のモル比のカチオン性コポリマー。
１５Ａｐｐｌｅｔｏｎ  Ｐａｐｅｒ（Ａｐｐｌｅｔｏｎ，ＷＩ）から入手可能。
１６Ｍｏｍｅｎｔｉｖｅ  Ｐｅｒｆｏｒｍａｎｃｅ  Ｍａｔｅｒｉａｌｓ（Ｗａｔｅｒｆｏｒｄ，Ｎｅｗ  Ｙｏｒｋ）から入手可能なＭａｇｎａｓｏｆｔ  Ｐｌｕｓ。
１７Ｄｏｗ−Ｃｏｒｎｉｎｇ（Ｍｉｄｌａｎｄ，ＭＩ）製のシリコーンポリエーテル。
１８Ｄｏｗ−Ｃｏｒｎｉｎｇ（Ｍｉｄｌａｎｄ，ＭＩ）から入手可能なＰＤＭＳ、ＤＣ３４９。
１９Ｇｅｌｅｓｔ（Ｍｏｒｒｉｓｖｉｌｌｅ，ＰＡ）から入手可能なＰＤＭＳ、１０００ｍｍ２／ｓ（１０００ｃＳｔ）。
２０ＢＡＳＦ（Ｌｕｄｗｉｇｓｈａｆｅｎ，Ｇｅｒｍａｎｙ）から入手した、重量平均分子量４８ｋＤａを有する、アクリルアミド１５．７％、ジアリルジメチルアンモニウムクロリド８０．０％及びアクリル酸４．３％のモル比のカチオン性ターポリマー。
【０２１９】
実施例４．複数サイクルの白色度変化の結果
実施例４Ａ〜４Ｆは、上述の白色度変化性能の試験方法に従った、フロントローディング式自動洗濯機での複数サイクル試験における白色度変化に対する、カチオン性ポリマーの選択効果を示すものである。表４に記載のカチオン性ポリマーを代用して、処方２Ａ（アニオン性：非イオン性比＝３．８：１）に従った洗剤で布地を処理した。白色度変化を、処方２Ａに従った対照洗剤で処理した布地との比較で決定する。この対照洗剤は、オルガノシロキサンポリマーもカチオン性ポリマーも含まないものである。負数が大きくなればなるほど、白さの低下が大きくなる（例えば、白色度変化−４０は、白色度変化−２０よりも白さの低下が大きいことを示す）。
【０２２０】
【表４】
2019049002.tif 000023
【０２２１】
実施例４Ｂ〜４Ｆに従った本開示に係るカチオン性ポリマーを含む洗剤で処理した布地は、実施例４Ａに従った比較ポリマーを含む洗剤で処理した布地よりも白さの低下が小さいことが示されている。目視で認識できるには、少なくとも−５単位の白色度変化が求められる。
【０２２２】
実施例５．シリコーン付着、モノマー比及び分子量。
実施例５Ａ〜５Ｇは、上述のシリコーン付着試験方法に従った、北米フロントローディング式自動洗濯機での複数サイクル試験におけるシリコーン付着に対する、カチオン性ポリマーの選択効果を示すものである。表５に記載のカチオン性ポリマーを代用して、処方２Ａ（アニオン性：非イオン性比＝３．８：１）に従った洗剤で布地を処理した。
【０２２３】
【表５】
2019049002.tif 000024
【０２２４】
実施例５Ａ〜５Ｇに従った本開示に係るカチオン性ポリマーを含む洗剤組成物２Ａで処理した布地は、実施例５Ｈ及び５Ｉに従った比較ポリマーを含む洗剤組成物２Ａで処理した布地よりもシリコーン付着がより多いことが示されている。認識できる感触の違いをもたらすには、布地１グラム当たりシリコーン８０ｕｇを超える、布地へのシリコーン付着が求められる。
【０２２５】
実施例６．シリコーン付着及び界面活性剤比率。
実施例６Ａ〜６Ｅは、上述のシリコーン付着試験方法に従った、西欧フロントローディング式自動洗濯機での複数サイクル試験におけるシリコーン付着に対する、アニオン性：非イオン性界面活性剤の比率の選択効果を示すものである。表６に示す処方２Ｃ〜２Ｇに従った洗剤で布地をそれぞれ処理した。
【０２２６】
【表６】
2019049002.tif 000025
【０２２７】
実施例６Ａ〜６Ｄに従った本開示に係るカチオン性ポリマーを含む洗剤組成物２Ｃ〜２Ｆで処理した布地は、実施例６Ｅに従った本発明から外れるアニオン性：非イオン性比を有する洗剤組成物２Ｇで処理した布地よりもシリコーン付着がより多いことが示されている。認識できる感触の違いをもたらすには、布地１グラム当たりシリコーン８０ｕｇを超える、布地へのシリコーン付着が求められる。
【０２２８】
実施例７．シリコーン付着
実施例７Ａ〜７Ｅは、上述のシリコーン付着試験方法に従った、北米フロントローディング式自動洗濯機での３サイクル試験におけるシリコーン付着に対する、アニオン性：非イオン性界面活性剤の比率の選択効果を示すものである。以下に示す処方１Ｂ、１Ｇ、１Ｈ及び２Ａに従った洗剤で布地をそれぞれ処理した。
【０２２９】
【表７】
2019049002.tif 000026
【０２３０】
実施例７Ｂ〜７Ｅに従った本開示に係るカチオン性ポリマーを含む洗剤組成物で処理した布地は、本発明の範囲から外れるアニオン性：非イオン性比を有する洗剤組成物７Ａで処理した布地よりも、布地上のシリコーン付着がより多いことが示されている。認識できる感触の違いをもたらすには、布地１グラム当たりシリコーン８０ｕｇを超える、布地へのシリコーン付着が求められる。
【０２３１】
本明細書に開示されている寸法及び値は、記載された正確な数値に厳密に限定されるものと理解すべきではない。むしろ、特に断らない限り、そのような各寸法は、記載された値及びその値の周辺の機能的に同等の範囲の両方を意味するものとする。例えば、「４０ｍｍ」として開示されている寸法は、「約４０ｍｍ」を意味することを意図している。
【０２３２】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いずれの文献の引用も、その文献が本願で開示又は特許請求されるいずれかの発明に対する先行技術であることを認めるものではなく、又はその文献が単独で、あるいは任意のその他の参照文献との任意の組み合わせにおいて、かかる発明のいずれかを参照、教示、示唆又は開示することを認めるものでもない。更には、本文書における用語のいずれかの意味又は定義が、組み込まれた文献における同一の用語のいずれかの意味又は定義と相反する限りにおいては、本文書においてその用語に与えられた意味又は定義が優先するものとする。
【０２３３】
以上、本発明の特定の実施形態を図示、説明したが、本発明の趣旨及び範囲から逸脱することなく他の様々な変更及び改変を実施することが可能である点は当業者には自明であろう。したがって、本発明の範囲内に含まれるそのような全ての変更及び修正が、添付の特許請求の範囲内に網羅されることが意図される。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
カチオン性ポリマーと、シリコーンと、界面活性剤系と、を含む洗濯洗剤組成物であって、
前記カチオン性ポリマーは、
（ｉ）１５モル％〜３０モル％の（メタ）アクリルアミドに由来する第１の構造単位と、
（ｉｉ）７０モル％〜８５モル％のジアリルジメチルアンモニウム塩（ＤＡＤＭＡＳ）に由来する第２の構造単位と、を含み、
前記カチオン性ポリマーは、分子量が１０ｋダルトン〜２００ｋダルトンであり、
前記界面活性剤系が、前記組成物の重量に対して、１〜７０％で存在し、
前記界面活性剤系は、アニオン性界面活性剤と、非イオン性界面活性剤と、を、１．１：１〜４：１の重量比で含む、洗濯洗剤組成物。
【請求項２】
（ｉ）及び（ｉｉ）を合計すると１００モル％になる、請求項１に記載の洗剤組成物。
【請求項３】
前記カチオン性ポリマーが、０．０１モル％〜１５モル％のアクリル酸に由来する第３の構造単位を含む、請求項１又は２に記載の洗剤組成物。
【請求項４】
前記カチオン性ポリマーが、０モル％のアクリル酸を含む、請求項１〜３のいずれか一項に記載の洗剤組成物。
【請求項５】
前記カチオン性ポリマーは、分子量が１５ｋダルトン〜１００ｋダルトンである、請求項１〜４のいずれか一項に記載の洗剤組成物。
【請求項６】
前記カチオン性ポリマーは、分子量が２０ｋダルトン〜５０ｋダルトンである、請求項１〜４のいずれか一項に記載の洗剤組成物。
【請求項７】
前記カチオン性ポリマーが、シリコーン由来構造単位を実質的に含まない、請求項１〜６のいずれか一項に記載の洗剤組成物。
【請求項８】
前記カチオン性ポリマーの電荷密度が、４ｍｅｑ／ｇ〜１２ｍｅｑ／ｇである、請求項１〜７のいずれか一項に記載の洗剤組成物。
【請求項９】
前記シリコーンが、アミノシリコーンである、請求項１〜８のいずれか一項に記載の洗剤組成物。
【請求項１０】
前記シリコーンが、ナノエマルションとして存在し、前記ナノエマルションは、平均粒径が１０ｎｍ〜５００ｎｍであることを特徴とする、請求項１〜９のいずれか一項に記載の洗剤組成物。
【請求項１１】
前記アニオン性界面活性剤と、前記非イオン性界面活性剤とを、１．５：１〜２．５：１の重量比で含む、請求項１〜１０のいずれか一項に記載の洗剤組成物。
【請求項１２】
前記アニオン性界面活性剤が、直鎖アルキルベンゼンサルフェート（ＬＡＳ）及びアルキルエーテルサルフェート（ＡＥＳ）を含む、請求項１〜１１のいずれか一項に記載の洗剤組成物。
【請求項１３】
前記ＬＡＳと、前記ＡＥＳとを、０．５：１〜１．５：１の重量比で含む、請求項１２に記載の洗剤組成物。
【請求項１４】
前記洗剤組成物は、前記組成物の重量に対して、０．１％〜４％の脂肪酸及び／又はその塩を更に含む、請求項１〜１３のいずれか一項に記載の洗剤組成物。
【請求項１５】
前記洗剤組成物が、実質的に、脂肪酸を含まない、請求項１〜１４のいずれか一項に記載の洗剤組成物。
【請求項１６】
前記洗剤組成物が、実質的に、カチオン性界面活性剤を含まない、請求項１〜１５のいずれか一項に記載の洗剤組成物。
【請求項１７】
前記洗剤組成物が、非高分子系結晶質ヒドロキシ官能性構造化剤、高分子構造化剤又はこれらの混合物を含む外部構造化系を更に含む、請求項１〜１６のいずれか一項に記載の洗剤組成物。
【請求項１８】
前記洗剤組成物が、マイクロカプセルを更に含む、請求項１〜１７のいずれか一項に記載の洗剤組成物。
【請求項１９】
前記マイクロカプセルが、香料マイクロカプセルである、請求項１８に記載の洗剤組成物。
【請求項２０】
前記洗剤組成物が、酵素、防汚ポリマー、色調剤及びこれらの組み合わせから選択される補助剤を更に含む、請求項１〜１９のいずれか一項に記載の洗剤組成物。
【請求項２１】
前記洗剤組成物は、液体である、請求項１〜２０のいずれか一項に記載の洗剤組成物。
【請求項２２】
前記洗剤組成物は、パウチに封入され、前記パウチは、水溶性フィルムを含む、請求項１〜２１のいずれか一項に記載の洗剤組成物。
【請求項２３】
布地を処理する方法であって、前記布地を請求項１〜２２のいずれか一項に記載の洗剤組成物に接触させる工程を含む、方法。
【外国語明細書】
2019049002000001.pdf